(57)【特許請求の範囲】
【請求項１】
番組について、少なくとも出演者を表す出演者情報を含む番組情報を記録している番組情報記録媒体と、
前記番組情報記録媒体に記録された全ての番組に関する番組情報の出演者情報を読み出す読み出し手段と、
前記読み出し手段によって読み出された出演者情報に基づいて、出演者毎に、当該出演者の出現頻度を計数する計数手段と、
番組を番組記録媒体に記録する番組記録手段と、
前記番組記録媒体の空き領域が充分でないとき、前記計数手段によって計数された出現頻度が所定程度低い出演者に係る番組を、前記番組記録媒体から消去廃棄する番組廃棄手段とを備えた
ことを特徴とする録画装置。
【請求項２】
番組について、少なくとも出演者を表す出演者情報を含む番組情報を記録している番組情報記録媒体と、
前記番組情報記録媒体に記録された全ての番組に関する番組情報の出演者情報を読み出す読み出し手段と、
前記読み出し手段によって読み出された出演者情報に基づいて、出演者毎に、当該出演者の出現頻度を計数する計数手段と、
番組を番組記録媒体に記録する番組記録手段と、
前記番組記録媒体の空き領域が充分でないとき、前記計数手段によって計数された出現頻度が所定程度低い出演者に係る番組を、前記番組記録媒体から消去廃棄する番組廃棄手段と、
前記番組記録媒体に記録された番組について、既に視聴されたか否かを記録する視聴記録手段とを備え、
前記番組廃棄手段は、前記視聴記録手段を参照して、未だ視聴されていない番組について、廃棄対象から除外する
ことを特徴とする録画装置。
【請求項３】
請求項１または２において、
前記読み出し手段は、
前記番組情報記録媒体に記録された全ての番組に関する番組情報の出演者情報の読み出しを、所定のジャンルに属する番組に限定して、行うものである
ことを特徴とする録画装置。
【請求項４】
番組を録画する録画装置を制御する方法であって、
番組について、少なくとも出演者を表す出演者情報を含む番組情報を記録している番組情報記録媒体から、前記番組情報記録媒体に記録された全ての番組に関する番組情報の出演者情報を読み出す読み出しステップと、
前記読み出しステップで読み出した出演者情報に基づいて、出演者毎に、当該出演者の出現頻度を計数する計数ステップと、
番組を記録するための番組記録媒体の空き領域が充分でないとき、前記計数ステップで計数した出現頻度が所定程度低い出演者に係る番組を、前記番組記録媒体から消去廃棄する消去廃棄ステップとを有する
ことを特徴とする方法。
【請求項５】
番組について、少なくとも番組内容の概要を表す解説文を含む番組情報を記録している番組情報記録媒体と、
前記番組情報記録媒体から、前記番組情報記録媒体に記録された全ての番組に関する番組情報の解説文を読み出す読み出し手段と、
前記読み出し手段によって読み出された解説文から単語を切り出し、切り出した単語毎に、当該単語の出現頻度を計数する計数手段と、
番組を番組記録媒体に記録する番組記録手段と、
前記番組記録媒体の空き領域が充分でないとき、前記計数手段によって計数された出現頻度が所定程度低い単語に係る番組を、前記番組記録媒体から消去廃棄する番組廃棄手段とを備えた
ことを特徴とする録画装置。
【請求項６】
請求項５において、
前記読み出し手段は、
前記番組情報記録媒体に記録された全ての番組に関する番組情報の解説文の読み出しを、所定のジャンルに属する番組に限定して、行うものである
ことを特徴とする録画装置。
【請求項７】
請求項５において、
前記計数手段は、
切り出した単語のうち互いに類似する単語の出現頻度をマージするものである
ことを特徴とする録画装置。
【請求項８】
番組を録画する録画装置を制御する方法であって、
番組について、少なくとも番組内容の概要を表す解説文を含む番組情報を記録している番組情報記録媒体から、前記番組情報記録媒体に記録された全ての番組に関する番組情報の解説文を読み出す読み出しステップと、
前記読み出しステップで読み出した解説文から単語を切り出し、切り出した単語毎に、当該単語の出現頻度を計数するステップと、
番組を記録するための番組記録媒体の空き領域が充分でないとき、前記計数された出現頻度が所定程度低い単語に係る番組を、前記番組記録媒体から消去廃棄する消去廃棄ステップとを有する
ことを特徴とする方法。
【請求項９】
番組を表示する番組表示手段と、
番組について、少なくとも出演者を表す出演者情報と放映日時を表す放映日時情報とを含む番組情報を記録している番組情報記録媒体と、
前記番組情報記録媒体に記録された全ての番組に関する番組情報の出演者情報を読み出す読み出し手段と、
前記読み出し手段によって読み出された出演者情報に基づいて、出演者毎に、当該出演者の出現頻度を計数する計数手段と、
前記番組情報記録媒体に記録された番組情報の放映日時情報を参照して、前記計数手段で出現頻度が計数された出演者に係る番組と同一の番組の現在日時から放映予定日時までの予定経過時間を求める手段と、
前記求められた予定経過時間を基にして、当該番組について、予定経過時間が短いほど値が大きくなる重みを求める手段とを備え、
前記計数手段は、前記重みを加味して、出演者毎に、当該出演者の出現頻度の計数を行う
ことを特徴とする視聴装置。
【請求項１０】
番組を表示する番組表示手段と、
番組について、少なくとも出演者を表す出演者情報と所定期間内の放映回数を特定できる情報とを含む番組情報を記録する番組情報記録媒体と、
前記番組情報記録媒体に記録された全ての番組に関する番組情報の出演者情報を読み出す読み出し手段と、
前記読み出し手段によって読み出された出演者情報に基づいて、出演者毎に、当該出演者の出現頻度を計数する計数手段と、
前記番組情報記録媒体に記録された番組情報の放映回数を特定できる情報から、前記計数手段で出現頻度が計数された出演者に係る番組と同一の番組の所定期間内の放映回数を得る手段と、
前記得られた放映回数に基づいて、当該番組について、所定期間内の放映回数が多いほど値が小さくなる重みを求める手段とを備え、
前記計数手段は、前記重みを加味して、出演者毎に、当該出演者の出現頻度の計数を行う
ことを特徴とする視聴装置。
【請求項１１】
番組を表示する番組表示手段と、
少なくとも番組について出演者を表す出演者情報と、前記番組の中で再放送の番組について初回放送の日時から現在日時までの経過時間を特定できる情報とを含む番組情報を記録している番組情報記録媒体と、
前記番組情報記録媒体に記録された全ての番組に関する番組情報の出演者情報を読み出す読み出し手段と、
前記読み出し手段によって読み出された出演者情報に基づいて、出演者毎に、当該出演者の出現頻度を計数する計数手段と、
前記番組情報記録媒体に記録された番組情報の初回放送の日時から現在日時までの経過時間を特定できる情報から、前記計数手段で出現頻度が計数された出演者に係る番組の初回放送の日時から現在日時までの経過時間を得る手段と、
前記得られた番組の初回放送の日時から現在日時までの経過時間に基づいて、当該番組について、前記経過時間が長いほど値が小さくなる重みを求める手段とを備え、
前記計数手段は、前記重みを加味して、出演者毎に、当該出演者の出現頻度の計数を行う
ことを特徴とする視聴装置。
【請求項１２】
番組を表示する番組表示手段と、
番組について、少なくとも出演者を表す出演者情報を含む番組情報を記録している番組情報記録媒体と、
前記番組情報記録媒体に記録された全ての番組に関する番組情報の出演者情報を読み出す読み出し手段と、
前記読み出し手段によって読み出された出演者情報に基づいて、出演者毎に、当該出演者の出現頻度を計数する計数手段と、
前記計数手段で出現頻度が計数された出演者に係る番組と同一の番組について、前回視聴率を外部から得る手段と、
前記得られた前回視聴率に基づいて、当該番組について、重みを求める手段とを備え、
前記計数手段は、前記重みを加味して、出演者毎に、当該出演者の出現頻度の計数を行う
ことを特徴とする視聴装置。
【請求項１３】
番組を視聴する視聴装置を制御する方法であって、
番組について、少なくとも出演者を表す出演者情報と放映日時を表す放映日時情報とを含む番組情報を記録している番組情報記録媒体から、前記番組情報記録媒体に記録された全ての番組に関する番組情報の出演者情報を読み出す読み出しステップと、
前記読み出しステップによって読み出された出演者情報に基づいて、出演者毎に、当該出演者の出現頻度を計数する計数ステップと、
前記番組情報記録媒体に記録された番組情報の放映日時情報を参照して、前記計数手段で出現頻度が計数された出演者に係る番組と同一の番組の現在日時から放映予定日時までの予定経過時間を求めるステップと、
前記求められた予定経過時間を基にして、当該番組について、予定経過時間が短いほど値が大きくなる重みを求めるステップとを有し、
前記計数ステップは、前記重みを加味して、出演者毎に、当該出演者の出現頻度の計数を行う
ことを特徴とする方法。
【請求項１４】
番組を視聴する視聴装置を制御する方法であって、
番組について、少なくとも出演者を表す出演者情報と所定期間内の放映回数を特定できる情報とを含む番組情報を記録する番組情報記録媒体から、前記番組情報記録媒体に記録された全ての番組に関する番組情報の出演者情報を読み出す読み出しステップと、
前記読み出しステップによって読み出された出演者情報に基づいて、出演者毎に、当該出演者の出現頻度を計数する計数ステップと、
前記番組情報記録媒体に記録された番組情報の放映回数を特定できる情報から、前記計数ステップで出現頻度が計数された出演者に係る番組と同一の番組の所定期間内の放映回数を得る取得ステップと、
前記取得ステップで得られた放映回数に基づいて、当該番組について、所定期間内の放映回数が多いほど値が小さくなる重みを求めるステップとを有し、
前記計数ステップは、前記重みを加味して、出演者毎に、当該出演者の出現頻度の計数を行う
ことを特徴とする方法。
【請求項１５】
番組を視聴する視聴装置を制御する方法であって、
少なくとも番組について出演者を表す出演者情報と、前記番組の中で再放送の番組について初回放送の日時から現在日時までの経過時間を特定できる情報とを含む番組情報を記録する番組情報記録媒体から、前記番組情報記録媒体に記録された全ての番組に関する番組情報の出演者情報を読み出す読み出しステップと、
前記読み出しステップによって読み出された出演者情報に基づいて、出演者毎に、当該出演者の出現頻度を計数する計数ステップと、
前記番組情報記録媒体に記録された番組情報の初回放送日時から現在までの経過時間を特定できる情報から、前記計数ステップで出現頻度が計数された出演者に係る番組の初回放送の日時から現在日時までの経過時間を得る取得ステップと、
前記取得ステップで得られた初回放送の日時から現在日時までの経過時間に基づいて、当該番組について、前記経過時間が長いほど値が小さくなる重みを求めるステップとを有し、
前記計数ステップは、前記重みを加味して、出演者毎に、出現頻度の計数を行う
ことを特徴とする方法。
【請求項１６】
番組を視聴する視聴装置を制御する方法であって、
番組について、少なくとも出演者を表す出演者情報を含む番組情報を記録している番組情報記録媒体から、前記番組情報記録媒体に記録された全ての番組に関する番組情報の出演者情報を読み出す読み出しステップと、
前記読み出しステップによって読み出された出演者情報に基づいて、出演者毎に、当該出演者の出現頻度を計数する計数ステップと、
前記計数ステップで出現頻度が計数された出演者に係る番組と同一の番組について、前回視聴率を外部から得る取得ステップと、
前記取得ステップで得られた前回視聴率に基づいて、当該番組について、重みを求めるステップとを有し、
前記計数ステップは、前記重みを加味して、出演者毎に、当該出演者の出現頻度の計数を行う
ことを特徴とする方法。
【請求項１７】
番組について、少なくとも番組内容の概要を表す解説文を含む番組情報を記録している番組情報記録媒体と、
前記番組情報記録媒体から、前記番組情報記録媒体に記録された全ての番組に関する番組情報の解説文を読み出す読み出し手段と、
前記読み出し手段によって読み出された解説文から単語を切り出し、切り出した単語毎に、当該単語の出現頻度を計数する計数手段と、
番組を番組記録媒体に記録する番組記録手段と、
前記番組記録媒体の空き領域が充分でないとき、前記計数手段によって計数された出現頻度が所定程度低い単語に係る番組を、前記番組記録媒体から消去廃棄する番組廃棄手段と、
前記番組記録媒体に記録された番組について、既に視聴されたか否かを記録する視聴記録手段とを備え、
前記番組廃棄手段は、前記視聴記録手段を参照して、未だ視聴されていない番組について、廃棄対象から除外する
ことを特徴とする録画装置。
【請求項１８】
請求項１７において、
前記読み出し手段は、前記番組情報記録媒体に記録された全ての番組に関する番組情報の解説文の読み出しを、所定のジャンルに属する番組に限定して、行うものである
ことを特徴とする録画装置。
【請求項１９】
番組を表示する番組表示手段と、
番組について、少なくとも番組内容の概要を表す解説文を含む番組情報を記録する番組情報記録媒体と、
前記番組情報記録媒体に記録された全ての番組に関する番組情報の解説文を読み出す読み出し手段と、
前記読み出し手段によって読み出された解説文から単語を切り出し、切り出した単語毎に、当該単語の出現頻度を計数する計数手段と、
前記読み出し手段によって番組情報が読み出された単語に係る番組について、前回視聴率を外部から得る手段と、
前記得られた前回視聴率に基づいて、当該番組について、重みを求める手段とを備え、
前記計数手段は、前記重みを加味して、切り出した単語毎に、当該単語の出現頻度の計数を行う
ことを特徴とする視聴装置。
【請求項２０】
番組を視聴する視聴装置を制御する方法であって、
番組について、少なくとも番組内容の概要を表す解説文を含む番組情報を記録する番組情報記録媒体から、前記番組情報記録媒体に記録された全ての番組に関する番組情報の解説文を読み出す読み出しステップと、
前記読み出しステップによって読み出された解説文から単語を切り出し、切り出した単語毎に、当該単語の出現頻度を計数する計数ステップと、
前記読み出しステップによって番組情報が読み出された単語に係る番組について、前回視聴率を外部から得る取得ステップと、
前記取得ステップで得られた前回視聴率に基づいて、当該番組について、重みを求めるステップとを有し、
前記計数ステップは、前記重みを加味して、切り出した単語毎に、当該単語の出現頻度の計数を行う
ことを特徴とする方法。
【請求項２１】
番組を表示する番組表示手段と、
番組について、少なくとも番組内容の概要を表す解説文と放映日時を表す放映日時情報とを含む番組情報を記録している番組情報記録媒体と、
前記番組情報記録媒体に記録された全ての番組に関する番組情報の解説文を読み出す読み出し手段と、
前記読み出し手段によって読み出された解説文から単語を切り出し、切り出した単語毎に、当該単語の出現頻度を計数する計数手段と、
前記番組情報記録媒体に記録された番組情報の放映日時情報を参照して、前記計数手段で出現頻度が計数された単語に係る番組と同一の番組の現在日時から放映予定日時までの予定経過時間を求める手段と、
前記求められた予定経過時間を基にして、当該番組について、予定経過時間が短いほど値が大きくなる重みを求める手段とを備え、
前記計数手段は、前記重みを加味して、切り出した単語毎に、当該単語の出現頻度の計数を行う
ことを特徴とする視聴装置。
【請求項２２】
番組を視聴する視聴装置を制御する方法であって、
番組について、少なくとも番組内容の概要を表す解説文と放映日時を表す放映日時情報とを含む番組情報を記録している番組情報記録媒体から、前記番組情報記録媒体に記録された全ての番組に関する番組情報の解説文を読み出す読み出しステップと、
前記読み出しステップによって読み出された解説文から単語を切り出し、切り出した単語毎に、当該単語の出現頻度を計数する計数ステップと、
前記番組情報記録媒体に記録された番組情報の放映日時情報を参照して、前記計数手段で出現頻度が計数された単語に係る番組と同一の番組の現在日時から放映予定日時までの予定経過時間を求めるステップと、
前記ステップで求められた予定経過時間を基にして、当該番組について、予定経過時間が短いほど値が大きくなる重みを求めるステップとを有し、
前記計数ステップは、前記重みを加味して、切り出した単語毎に、当該単語の出現頻度の計数を行う
ことを特徴とする方法。
【請求項２３】
番組を表示する番組表示手段と、
番組について、少なくとも番組内容の概要を表す解説文と所定期間内の放映回数を特定できる情報とを含む番組情報を記録する番組情報記録媒体と、
前記番組情報記録媒体に記録された全ての番組に関する番組情報の解説文を読み出す読み出し手段と、
前記読み出し手段によって読み出された解説文から単語を切り出し、切り出した単語毎に、当該単語の出現頻度を計数する計数手段と、
前記番組情報記録媒体に記録された番組情報の放映回数を特定できる情報から、前記計数手段で出現頻度が計数された単語に係る番組と同一の番組の所定期間内の放映回数を得る手段と、
前記得られた放映回数に基づいて、当該番組について、所定期間内の放映回数が多いほど値が小さくなる重みを求める手段とを備え、
前記計数手段は、前記重みを加味して、前記切り出した単語毎に、当該単語の出現頻度の計数を行う
ことを特徴とする視聴装置。
【請求項２４】
番組を視聴する視聴装置を制御する方法であって、
番組について、少なくとも番組内容の概要を表す解説文と所定期間内の放映回数を特定できる情報とを含む番組情報を記録する番組情報記録媒体から、前記番組情報記録媒体に記録された全ての番組に関する番組情報の解説文を読み出す読み出しステップと、
前記読み出しステップによって読み出された解説文から単語を切り出し、切り出した単語毎に、当該単語の出現頻度を計数する計数ステップと、
前記番組情報記録媒体に記録された番組情報の放映回数を特定できる情報から、前記計数ステップで出現頻度が計数された単語に係る番組と同一の番組の所定期間内の放映回数を得る取得ステップと、
前記取得ステップで得られた放映回数に基づいて、当該番組について、所定期間内の放映回数が多いほど値が小さくなる重みを求めるステップとを有し、
前記計数ステップは、前記重みを加味して、前記切り出した単語毎に、当該単語の出現頻度の計数を行う
ことを特徴とする方法。
【請求項２５】
番組を表示する番組表示手段と、
少なくとも番組について番組内容の概要を表す解説文と、前記番組の中で再放送の番組について初回放送の日時から現在日時までの経過時間を特定できる情報とを含む番組情報を記録している番組情報記録媒体と、
前記番組情報記録媒体に記録された全ての番組に関する番組情報の解説文を読み出す読み出し手段と、
前記読み出し手段によって読み出された解説文から単語を切り出し、切り出した単語毎に、当該単語の出現頻度を計数する計数手段と、
前記番組情報記録媒体に記録された番組情報の初回放送の日時から現在日時までの経過時間を特定できる情報から、前記計数手段で出現頻度が計数された単語に係る番組の初回放送の日時から現在日時までの経過時間を得る手段と、
前記得られた番組の初回放送の日時から現在日時までの経過時間に基づいて、当該番組について、前記経過時間が長いほど値が小さくなる重みを求める手段とを備え、
前記計数手段は、前記重みを加味して、前記切り出した単語毎に、当該単語の出現頻度の計数を行う
ことを特徴とする視聴装置。
【請求項２６】
番組を視聴する視聴装置を制御する方法であって、
少なくとも番組について番組内容の概要を表す解説文と、前記番組の中で再放送の番組について初回放送の日時から現在日時までの経過時間を特定できる情報とを含む番組情報を記録している番組情報記録媒体から、前記番組情報記録媒体に記録された全ての番組に関する番組情報の解説文を読み出す読み出しステップと、
前記読み出しステップによって読み出された解説文から単語を切り出し、切り出した単語毎に、当該単語の出現頻度を計数する計数ステップと、
前記番組情報記録媒体に記録された番組情報の初回放送の日時から現在日時までの経過時間を特定できる情報から、前記計数手段で出現頻度が計数された単語に係る番組の初回放送の日時から現在日時までの経過時間を得る取得ステップと、
前記取得ステップで得られた番組の初回放送の日時から現在日時までの経過時間に基づいて、当該番組について、前記経過時間が長いほど値が小さくなる重みを求めるステップとを有し、
前記計数ステップは、前記重みを加味して、前記切り出した単語毎に、当該単語の出現頻度の計数を行う
ことを特徴とする方法。
【請求項２７】
番組を表示する番組表示手段と、
番組について、少なくとも出演者を表す出演者情報と再放送回数を特定できる情報とを含む番組情報を記録している番組情報記録媒体と、
前記番組情報記録媒体に記録された全ての番組に関する番組情報の出演者情報を読み出す読み出し手段と、
前記読み出し手段によって読み出された出演者情報に基づいて、出演者毎に、当該出演者の出現頻度を計数する計数手段と、
前記番組情報記録媒体に記録された番組情報の再放送回数を特定できる情報から、前記計数手段で出現頻度が計数された出演者に係る番組の再放送回数を得る手段と、
前記得られた番組の再放送回数に基づいて、当該番組について、再放送回数が多いほど値が小さくなる重みを求める手段とを備え、
前記計数手段は、前記重みを加味して、出演者毎に、当該出演者の出現頻度の計数を行う
ことを特徴とする視聴装置。
【請求項２８】
番組を視聴する視聴装置を制御する方法であって、
番組について、少なくとも出演者を表す出演者情報と再放送回数を特定できる情報とを含む番組情報を記録している番組情報記録媒体と、
前記番組情報記録媒体に記録された全ての番組に関する番組情報の出演者情報を読み出す読み出し手段と、
前記読み出し手段によって読み出された出演者情報に基づいて、出演者毎に、当該出演者の出現頻度を計数する計数手段と、
前記番組情報記録媒体に記録された番組情報の再放送回数を特定できる情報から、前記計数手段で出現頻度が計数された出演者に係る番組の再放送回数を得る手段と、
前記得られた番組の再放送回数に基づいて、当該番組について、再放送回数が多いほど値が小さくなる重みを求める手段とを備え、
前記計数手段は、前記重みを加味して、出演者毎に、当該出演者の出現頻度の計数を行う
ことを特徴とする方法。
【請求項２９】
番組を表示する番組表示手段と、
番組について、少なくとも番組内容の概要を表す解説文と再放送回数を特定できる情報とを含む番組情報を記録する番組情報記録媒体と、
前記番組情報記録媒体に記録された全ての番組に関する番組情報の解説文を読み出す読み出し手段と、
前記読み出し手段によって読み出された解説文から単語を切り出し、切り出した単語毎に、当該単語の出現頻度を計数する計数手段と、
前記番組情報記録媒体に記録された番組情報の再放送回数を特定できる情報から、前記計数手段で出現頻度が計数された単語に係る番組の再放送回数を得る手段と、
前記得られた番組の再放送回数に基づいて、当該番組について、再放送回数が多いほど値が小さくなる重みを求める手段とを備え、
前記計数手段は、前記重みを加味して、前記切り出した単語毎に、当該単語の出現頻度の計数を行う
ことを特徴とする視聴装置。
【請求項３０】
番組を視聴する視聴装置を制御する方法であって、
番組について、少なくとも番組内容の概要を表す解説文と再放送回数を特定できる情報とを含む番組情報を記録する番組情報記録媒体から、前記番組情報記録媒体に記録された全ての番組に関する番組情報の解説文を読み出す読み出しステップと、
前記読み出しステップによって読み出された解説文から単語を切り出し、切り出した単語毎に、当該単語の出現頻度を計数する計数ステップと、
前記番組情報記録媒体に記録された番組情報の再放送回数を特定できる情報から、前記計数ステップで出現頻度が計数された単語に係る番組の再放送回数を得る取得ステップと、
前記取得ステップで得られた番組の再放送回数に基づいて、当該番組について、再放送回数が多いほど値が小さくなる重みを求めるステップとを有し、
前記計数ステップは、前記重みを加味して、前記切り出した単語毎に、当該単語の出現頻度の計数を行う
ことを特徴とする方法。
【発明の詳細な説明】
【０００１】
【発明の属する技術分野】
本発明は、番組に付随する情報（番組情報）、例えば、番組名、番組放映日時、放送チャンネル、番組のジャンル、番組の出演者、番組の内容についての概要の情報等の番組情報をも保持して、その番組情報に基づいて視聴あるいは録画予約するように構成された装置に関するものである。対象とする放送はあらゆる放送であるが主にデジタル放送である。また、通信の媒体としては、衛星放送が主であるが、有線放送（ＣＡＴＶ）でも電話回線を利用した放送でも、あるいは地上波放送であってもよい。
【０００２】
【従来の技術】
デジタル多チャンネル放送では数百に及ぶチャンネルが提供されるため、ユーザーが所望の番組を視聴できるようにするには、様々な通信媒体を通じて配信される番組表や番組案内などのサービスが不可欠になる。従来、このような番組案内としてチャンネル名と時間を２軸とした番組表が知られている。この番組表がディスプレイの画面上に表示され、ユーザーはカーソルを移動させて番組を選択すると、その番組の概要、出演者などのより詳しい情報を見ることができる。番組のジャンル、出演者などの情報はあらかじめ番組情報に含まれているので、番組を探し出す際にはそれらを手がかりとして所望の番組を見つけることが可能である。そして、画面上で見つけ出した視聴したい番組を画面上で選択することができ、さらに番組の録画予約もその画面上において簡単に行うことができる。
【０００３】
【発明が解決しようとする課題】
しかしながら、上記した従来の技術に係る装置の場合には、世の中の流行、すなわちトレンド（最近の流行・傾向・風潮）が番組情報に反映される状態には構成されていないので、世間一般で流行している番組を非常に多数の番組の中から見つけ出すことは、非常に困難なことであった。
【０００４】
本発明は、このような事情に鑑みて創案されたものであって、世の中のトレンドを自動的に得るようにすることにより、ユーザーが所望の番組情報を簡単に得ることができる装置および方法を提供することを目的としている。
【０００５】
【課題を解決するための手段】
本発明は、番組について、少なくとも出演者を表す出演者情報を含む番組情報を記録している番組情報記録媒体から番組情報を読み出し、読み出した番組情報において、出演者毎に出現頻度を計数したり、または、番組について、少なくとも番組内容の概要を表す解説文を含む番組情報を記録している番組情報記録媒体から番組情報を読み出し、読み出した番組情報に含まれた解説文から単語を切り出し、その出現頻度を計数したりするものである。これにより、非常に多数の番組の中から現在世の中で人気の高いトレンドに係る要素が関係している番組を容易に見つけ出すことができる。また、計数した出現頻度が所定程度低い出演者や単語に係る番組について、番組記録媒体から消去廃棄するので、番組記録媒体において空き領域を十分に確保して、新たな番組を番組記録媒体に確実に記録することができるため、トレンド番組を見落とす心配がなくなる。
【０００６】
【発明の実施の形態】
本発明の第１態様によれば、番組について、少なくとも出演者を表す出演者情報を含む番組情報を記録している番組情報記録媒体と、前記番組情報記録媒体に記録された全ての番組に関する番組情報の出演者情報を読み出す読み出し手段と、前記読み出し手段によって読み出された出演者情報に基づいて、出演者毎に当該出演者の出現頻度を計数する計数手段と、番組を番組記録媒体に記録する番組記録手段と、前記番組記録媒体の空き領域が充分でないとき、前記計数手段によって計数された出現頻度が所定程度低い出演者に係る番組を、前記番組記録媒体から消去廃棄する番組廃棄手段とを備えた録画装置を提供する。
【０００７】
本発明の第２態様によれば、番組について、少なくとも出演者を表す出演者情報を含む番組情報を記録している番組情報記録媒体と、前記番組情報記録媒体に記録された全ての番組に関する番組情報の出演者情報を読み出す読み出し手段と、前記読み出し手段によって読み出された出演者情報に基づいて、出演者毎に、当該出演者の出現頻度を計数する計数手段と、番組を番組記録媒体に記録する番組記録手段と、前記番組記録媒体の空き領域が充分でないとき、前記計数手段によって計数された出現頻度が所定程度低い出演者に係る番組を、前記番組記録媒体から消去廃棄する番組廃棄手段と、前記番組記録媒体に記録された番組について、既に視聴されたか否かを記録する視聴記録手段とを備え、前記番組廃棄手段は、前記視聴記録手段を参照して、未だ視聴されていない番組について廃棄対象から除外する録画装置を提供する。
【０００８】
本発明の第３態様によれば、前記読み出し手段は、前記番組情報記録媒体に記録された全ての番組に関する番組情報の出演者情報の読み出しを、所定のジャンルに属する番組に限定して行う第１または第２態様の録画装置を提供する。
【０００９】
本発明の第４態様によれば、番組を録画する録画装置を制御する方法であって、番組について、少なくとも出演者を表す出演者情報を含む番組情報を記録している番組情報記録媒体から、前記番組情報記録媒体に記録された全ての番組に関する番組情報の出演者情報を読み出す読み出しステップと、前記読み出しステップで読み出した出演者情報に基づいて、出演者毎に、当該出演者の出現頻度を計数する計数ステップと、番組を記録するための番組記録媒体の空き領域が充分でないとき、前記計数ステップで計数した出現頻度が所定程度低い出演者に係る番組を、前記番組記録媒体から消去廃棄する消去廃棄ステップとを有する方法を提供する。
【００１０】
本発明の第５態様によれば、番組について、少なくとも番組内容の概要を表す解説文を含む番組情報を記録している番組情報記録媒体と、前記番組情報記録媒体から、前記番組情報記録媒体に記録された全ての番組に関する番組情報の解説文を読み出す読み出し手段と、前記読み出し手段によって読み出された解説文から単語を切り出し、切り出した単語毎に、当該単語の出現頻度を計数する計数手段と、番組を番組記録媒体に記録する番組記録手段と、前記番組記録媒体の空き領域が充分でないとき、前記計数手段によって計数された出現頻度が所定程度低い単語に係る番組を、前記番組記録媒体から消去廃棄する番組廃棄手段とを備えた録画装置を提供する。
【００１１】
本発明の第６態様によれば、前記読み出し手段は、前記番組情報記録媒体に記録された全ての番組に関する番組情報の解説文の読み出しを、所定のジャンルに属する番組に限定して、行う第５態様の録画装置を提供する。
【００１２】
本発明の第７態様によれば、前記計数手段は、切り出した単語のうち互いに類似する単語の出現頻度をマージする第５態様の録画装置を提供する。
【００１３】
本発明の第８態様によれば、番組を録画する録画装置を制御する方法であって、番組について、少なくとも番組内容の概要を表す解説文を含む番組情報を記録している番組情報記録媒体から、前記番組情報記録媒体に記録された全ての番組に関する番組情報の解説文を読み出す読み出しステップと、前記読み出しステップで読み出した解説文から単語を切り出し、切り出した単語毎に、当該単語の出現頻度を計数するステップと、番組を記録するための番組記録媒体の空き領域が充分でないとき、前記計数された出現頻度が所定程度低い単語に係る番組を、前記番組記録媒体から消去廃棄する消去廃棄ステップとを有する方法を提供する。
【００１４】
本発明の第９態様によれば、番組を表示する番組表示手段と、番組について、少なくとも出演者を表す出演者情報と放映日時を表す放映日時情報とを含む番組情報を記録している番組情報記録媒体と、前記番組情報記録媒体に記録された全ての番組に関する番組情報の出演者情報を読み出す読み出し手段と、前記読み出し手段によって読み出された出演者情報に基づいて、出演者毎に、当該出演者の出現頻度を計数する計数手段と、前記番組情報記録媒体に記録された番組情報の放映日時情報を参照して、前記計数手段で出現頻度が計数された出演者に係る番組と同一の番組の現在日時から放映予定日時までの予定経過時間を求める手段と、前記求められた予定経過時間を基にして、当該番組について、予定経過時間が短いほど値が大きくなる重みを求める手段とを備え、前記計数手段は、前記重みを加味して、出演者毎に、当該出演者の出現頻度の計数を行う視聴装置を提供する。
【００１５】
本発明の第１０態様によれば、番組を表示する番組表示手段と、番組について、少なくとも出演者を表す出演者情報と所定期間内の放映回数を特定できる情報とを含む番組情報を記録する番組情報記録媒体と、前記番組情報記録媒体に記録された全ての番組に関する番組情報の出演者情報を読み出す読み出し手段と、前記読み出し手段によって読み出された出演者情報に基づいて、出演者毎に、当該出演者の出現頻度を計数する計数手段と、前記番組情報記録媒体に記録された番組情報の放映回数を特定できる情報から、前記計数手段で出現頻度が計数された出演者に係る番組と同一の番組の所定期間内の放映回数を得る手段と、前記得られた放映回数に基づいて、当該番組について、所定期間内の放映回数が多いほど値が小さくなる重みを求める手段とを備え、前記計数手段は、前記重みを加味して、出演者毎に、当該出演者の出現頻度の計数を行う視聴装置を提供する。
【００１６】
本発明の第１１態様によれば、番組を表示する番組表示手段と、少なくとも番組について出演者を表す出演者情報と、前記番組の中で再放送の番組について初回放送の日時から現在日時までの経過時間を特定できる情報とを含む番組情報を記録している番組情報記録媒体と、前記番組情報記録媒体に記録された全ての番組に関する番組情報の出演者情報を読み出す読み出し手段と、前記読み出し手段によって読み出された出演者情報に基づいて、出演者毎に、当該出演者の出現頻度を計数する計数手段と、前記番組情報記録媒体に記録された番組情報の初回放送の日時から現在日時までの経過時間を特定できる情報から、前記計数手段で出現頻度が計数された出演者に係る番組の初回放送の日時から現在日時までの経過時間を得る手段と、前記得られた番組の初回放送の日時から現在日時までの経過時間に基づいて、当該番組について、前記経過時間が長いほど値が小さくなる重みを求める手段とを備え、前記計数手段は、前記重みを加味して、出演者毎に、当該出演者の出現頻度の計数を行う視聴装置を提供する。
【００１７】
本発明の第１２態様によれば、番組を表示する番組表示手段と、番組について、少なくとも出演者を表す出演者情報を含む番組情報を記録している番組情報記録媒体と、前記番組情報記録媒体に記録された全ての番組に関する番組情報の出演者情報を読み出す読み出し手段と、前記読み出し手段によって読み出された出演者情報に基づいて、出演者毎に、当該出演者の出現頻度を計数する計数手段と、前記計数手段で出現頻度が計数された出演者に係る番組と同一の番組について、前回視聴率を外部から得る手段と、前記得られた前回視聴率に基づいて、当該番組について、重みを求める手段とを備え、前記計数手段は、前記重みを加味して、出演者毎に、当該出演者の出現頻度の計数を行う視聴装置を提供する。
【００１８】
本発明の第１３態様によれば、番組を視聴する視聴装置を制御する方法であって、番組について、少なくとも出演者を表す出演者情報と放映日時を表す放映日時情報とを含む番組情報を記録している番組情報記録媒体から、前記番組情報記録媒体に記録された全ての番組に関する番組情報の出演者情報を読み出す読み出しステップと、前記読み出しステップによって読み出された出演者情報に基づいて、出演者毎に、当該出演者の出現頻度を計数する計数ステップと、前記番組情報記録媒体に記録された番組情報の放映日時情報を参照して、前記計数手段で出現頻度が計数された出演者に係る番組と同一の番組の現在日時から放映予定日時までの予定経過時間を求めるステップと、前記求められた予定経過時間を基にして、当該番組について、予定経過時間が短いほど値が大きくなる重みを求めるステップとを有し、前記計数ステップは、前記重みを加味して、出演者毎に、当該出演者の出現頻度の計数を行う方法を提供する。
【００１９】
本発明の第１４態様によれば、番組を視聴する視聴装置を制御する方法であって、番組について、少なくとも出演者を表す出演者情報と所定期間内の放映回数を特定できる情報とを含む番組情報を記録する番組情報記録媒体から、前記番組情報記録媒体に記録された全ての番組に関する番組情報の出演者情報を読み出す読み出しステップと、前記読み出しステップによって読み出された出演者情報に基づいて、出演者毎に、当該出演者の出現頻度を計数する計数ステップと、前記番組情報記録媒体に記録された番組情報の放映回数を特定できる情報から、前記計数ステップで出現頻度が計数された出演者に係る番組と同一の番組の所定期間内の放映回数を得る取得ステップと、前記取得ステップで得られた放映回数に基づいて、当該番組について、所定期間内の放映回数が多いほど値が小さくなる重みを求めるステップとを有し、前記計数ステップは、前記重みを加味して、出演者毎に、当該出演者の出現頻度の計数を行う方法を提供する。
【００２０】
本発明の第１５態様によれば、番組を視聴する視聴装置を制御する方法であって、少なくとも番組について出演者を表す出演者情報と、前記番組の中で再放送の番組について初回放送の日時から現在日時までの経過時間を特定できる情報とを含む番組情報を記録する番組情報記録媒体から、前記番組情報記録媒体に記録された全ての番組に関する番組情報の出演者情報を読み出す読み出しステップと、前記読み出しステップによって読み出された出演者情報に基づいて、出演者毎に、当該出演者の出現頻度を計数する計数ステップと、前記番組情報記録媒体に記録された番組情報の初回放送日時から現在までの経過時間を特定できる情報から、前記計数ステップで出現頻度が計数された出演者に係る番組の初回放送の日時から現在日時までの経過時間を得る取得ステップと、前記取得ステップで得られた初回放送の日時から現在日時までの経過時間に基づいて、当該番組について、前記経過時間が長いほど値が小さくなる重みを求めるステップとを有し、前記計数ステップは、前記重みを加味して、出演者毎に、出現頻度の計数を行う方法を提供する。
【００２１】
本発明の第１６態様によれば、番組を視聴する視聴装置を制御する方法であって、番組について、少なくとも出演者を表す出演者情報を含む番組情報を記録している番組情報記録媒体から、前記番組情報記録媒体に記録された全ての番組に関する番組情報の出演者情報を読み出す読み出しステップと、前記読み出しステップによって読み出された出演者情報に基づいて、出演者毎に、当該出演者の出現頻度を計数する計数ステップと、前記計数ステップで出現頻度が計数された出演者に係る番組と同一の番組について、前回視聴率を外部から得る取得ステップと、前記取得ステップで得られた前回視聴率に基づいて、当該番組について、重みを求めるステップとを有し、前記計数ステップは、前記重みを加味して、出演者毎に、当該出演者の出現頻度の計数を行う方法を提供する。
【００２２】
本発明の第１７態様によれば、番組について、少なくとも番組内容の概要を表す解説文を含む番組情報を記録している番組情報記録媒体と、前記番組情報記録媒体から、前記番組情報記録媒体に記録された全ての番組に関する番組情報の解説文を読み出す読み出し手段と、前記読み出し手段によって読み出された解説文から単語を切り出し、切り出した単語毎に、当該単語の出現頻度を計数する計数手段と、番組を番組記録媒体に記録する番組記録手段と、前記番組記録媒体の空き領域が充分でないとき、前記計数手段によって計数された出現頻度が所定程度低い単語に係る番組を、前記番組記録媒体から消去廃棄する番組廃棄手段と、前記番組記録媒体に記録された番組について、既に視聴されたか否かを記録する視聴記録手段とを備え、前記番組廃棄手段は、前記視聴記録手段を参照して、未だ視聴されていない番組について、廃棄対象から除外する録画装置を提供する。
【００２３】
本発明の第１８態様によれば、前記読み出し手段は、前記番組情報記録媒体に記録された全ての番組に関する番組情報の解説文の読み出しを、所定のジャンルに属する番組に限定して、行うものである第１７態様の録画装置を提供する。
【００２４】
本発明の第１９態様によれば、番組を表示する番組表示手段と、番組について、少なくとも番組内容の概要を表す解説文を含む番組情報を記録する番組情報記録媒体と、前記番組情報記録媒体に記録された全ての番組に関する番組情報の解説文を読み出す読み出し手段と、前記読み出し手段によって読み出された解説文から単語を切り出し、切り出した単語毎に、当該単語の出現頻度を計数する計数手段と、前記読み出し手段によって番組情報が読み出された単語に係る番組について、前回視聴率を外部から得る手段と、前記得られた前回視聴率に基づいて、当該番組について、重みを求める手段とを備え、前記計数手段は、前記重みを加味して、切り出した単語毎に、当該単語の出現頻度の計数を行う視聴装置を提供する。
【００２５】
本発明の第２０態様によれば、番組を視聴する視聴装置を制御する方法であって、番組について、少なくとも番組内容の概要を表す解説文を含む番組情報を記録する番組情報記録媒体から、前記番組情報記録媒体に記録された全ての番組に関する番組情報の解説文を読み出す読み出しステップと、前記読み出しステップによって読み出された解説文から単語を切り出し、切り出した単語毎に、当該単語の出現頻度を計数する計数ステップと、前記読み出しステップによって番組情報が読み出された単語に係る番組について、前回視聴率を外部から得る取得ステップと、前記取得ステップで得られた前回視聴率に基づいて、当該番組について、重みを求めるステップとを有し、前記計数ステップは、前記重みを加味して、切り出した単語毎に、当該単語の出現頻度の計数を行う方法を提供する。
【００２６】
本発明の第２１態様によれば、番組を表示する番組表示手段と、番組について、少なくとも番組内容の概要を表す解説文と放映日時を表す放映日時情報とを含む番組情報を記録している番組情報記録媒体と、前記番組情報記録媒体に記録された全ての番組に関する番組情報の解説文を読み出す読み出し手段と、前記読み出し手段によって読み出された解説文から単語を切り出し、切り出した単語毎に、当該単語の出現頻度を計数する計数手段と、前記番組情報記録媒体に記録された番組情報の放映日時情報を参照して、前記計数手段で出現頻度が計数された単語に係る番組と同一の番組の現在日時から放映予定日時までの予定経過時間を求める手段と、前記求められた予定経過時間を基にして、当該番組について、予定経過時間が短いほど値が大きくなる重みを求める手段とを備え、前記計数手段は、前記重みを加味して、切り出した単語毎に、当該単語の出現頻度の計数を行う視聴装置を提供する。
【００２７】
本発明の第２２態様によれば、番組を視聴する視聴装置を制御する方法であって、番組について、少なくとも番組内容の概要を表す解説文と放映日時を表す放映日時情報とを含む番組情報を記録している番組情報記録媒体から、前記番組情報記録媒体に記録された全ての番組に関する番組情報の解説文を読み出す読み出しステップと、前記読み出しステップによって読み出された解説文から単語を切り出し、切り出した単語毎に、当該単語の出現頻度を計数する計数ステップと、前記番組情報記録媒体に記録された番組情報の放映日時情報を参照して、前記計数手段で出現頻度が計数された単語に係る番組と同一の番組の現在日時から放映予定日時までの予定経過時間を求めるステップと、前記ステップで求められた予定経過時間を基にして、当該番組について、予定経過時間が短いほど値が大きくなる重みを求めるステップとを有し、前記計数ステップは、前記重みを加味して、切り出した単語毎に、当該単語の出現頻度の計数を行う方法を提供する。
【００２８】
本発明の第２３態様によれば、番組を表示する番組表示手段と、番組について、少なくとも番組内容の概要を表す解説文と所定期間内の放映回数を特定できる情報とを含む番組情報を記録する番組情報記録媒体と、前記番組情報記録媒体に記録された全ての番組に関する番組情報の解説文を読み出す読み出し手段と、前記読み出し手段によって読み出された解説文から単語を切り出し、切り出した単語毎に、当該単語の出現頻度を計数する計数手段と、前記番組情報記録媒体に記録された番組情報の放映回数を特定できる情報から、前記計数手段で出現頻度が計数された単語に係る番組と同一の番組の所定期間内の放映回数を得る手段と、前記得られた放映回数に基づいて、当該番組について、所定期間内の放映回数が多いほど値が小さくなる重みを求める手段とを備え、前記計数手段は、前記重みを加味して、前記切り出した単語毎に、当該単語の出現頻度の計数を行う視聴装置を提供する。
【００２９】
本発明の第２４態様によれば、番組を視聴する視聴装置を制御する方法であって、番組について、少なくとも番組内容の概要を表す解説文と所定期間内の放映回数を特定できる情報とを含む番組情報を記録する番組情報記録媒体から、前記番組情報記録媒体に記録された全ての番組に関する番組情報の解説文を読み出す読み出しステップと、前記読み出しステップによって読み出された解説文から単語を切り出し、切り出した単語毎に、当該単語の出現頻度を計数する計数ステップと、前記番組情報記録媒体に記録された番組情報の放映回数を特定できる情報から、前記計数ステップで出現頻度が計数された単語に係る番組と同一の番組の所定期間内の放映回数を得る取得ステップと、前記取得ステップで得られた放映回数に基づいて、当該番組について、所定期間内の放映回数が多いほど値が小さくなる重みを求めるステップとを有し、前記計数ステップは、前記重みを加味して、前記切り出した単語毎に、当該単語の出現頻度の計数を行う方法を提供する。
【００３０】
本発明の第２５態様によれば、番組を表示する番組表示手段と、少なくとも番組について番組内容の概要を表す解説文と、前記番組の中で再放送の番組について初回放送の日時から現在日時までの経過時間を特定できる情報とを含む番組情報を記録している番組情報記録媒体と、前記番組情報記録媒体に記録された全ての番組に関する番組情報の解説文を読み出す読み出し手段と、前記読み出し手段によって読み出された解説文から単語を切り出し、切り出した単語毎に、当該単語の出現頻度を計数する計数手段と、前記番組情報記録媒体に記録された番組情報の初回放送の日時から現在日時までの経過時間を特定できる情報から、前記計数手段で出現頻度が計数された単語に係る番組の初回放送の日時から現在日時までの経過時間を得る手段と、前記得られた番組の初回放送の日時から現在日時までの経過時間に基づいて、当該番組について、前記経過時間が長いほど値が小さくなる重みを求める手段とを備え、前記計数手段は、前記重みを加味して、前記切り出した単語毎に、当該単語の出現頻度の計数を行う視聴装置を提供する。
【００３１】
本発明の第２６態様によれば、番組を視聴する視聴装置を制御する方法であって、少なくとも番組について番組内容の概要を表す解説文と、前記番組の中で再放送の番組について初回放送の日時から現在日時までの経過時間を特定できる情報とを含む番組情報を記録している番組情報記録媒体から、前記番組情報記録媒体に記録された全ての番組に関する番組情報の解説文を読み出す読み出しステップと、前記読み出しステップによって読み出された解説文から単語を切り出し、切り出した単語毎に、当該単語の出現頻度を計数する計数ステップと、前記番組情報記録媒体に記録された番組情報の初回放送の日時から現在日時までの経過時間を特定できる情報から、前記計数手段で出現頻度が計数された単語に係る番組の初回放送の日時から現在日時までの経過時間を得る取得ステップと、前記取得ステップで得られた番組の初回放送の日時から現在日時までの経過時間に基づいて、当該番組について、前記経過時間が長いほど値が小さくなる重みを求めるステップとを有し、前記計数ステップは、前記重みを加味して、前記切り出した単語毎に、当該単語の出現頻度の計数を行う方法を提供する。
【００３２】
本発明の第２７態様によれば、番組を表示する番組表示手段と、番組について、少なくとも出演者を表す出演者情報と再放送回数を特定できる情報とを含む番組情報を記録している番組情報記録媒体と、前記番組情報記録媒体に記録された全ての番組に関する番組情報の出演者情報を読み出す読み出し手段と、前記読み出し手段によって読み出された出演者情報に基づいて、出演者毎に、当該出演者の出現頻度を計数する計数手段と、前記番組情報記録媒体に記録された番組情報の再放送回数を特定できる情報から、前記計数手段で出現頻度が計数された出演者に係る番組の再放送回数を得る手段と、前記得られた番組の再放送回数に基づいて、当該番組について、再放送回数が多いほど値が小さくなる重みを求める手段とを備え、前記計数手段は、前記重みを加味して、出演者毎に、当該出演者の出現頻度の計数を行う視聴装置を提供する。
【００３３】
本発明の第２８態様によれば、番組を視聴する視聴装置を制御する方法であって、番組について、少なくとも出演者を表す出演者情報と再放送回数を特定できる情報とを含む番組情報を記録している番組情報記録媒体と、前記番組情報記録媒体に記録された全ての番組に関する番組情報の出演者情報を読み出す読み出し手段と、前記読み出し手段によって読み出された出演者情報に基づいて、出演者毎に、当該出演者の出現頻度を計数する計数手段と、前記番組情報記録媒体に記録された番組情報の再放送回数を特定できる情報から、前記計数手段で出現頻度が計数された出演者に係る番組の再放送回数を得る手段と、前記得られた番組の再放送回数に基づいて、当該番組について、再放送回数が多いほど値が小さくなる重みを求める手段とを備え、前記計数手段は、前記重みを加味して、出演者毎に、当該出演者の出現頻度の計数を行う方法を提供する。
【００３４】
本発明の第２９態様によれば、番組を表示する番組表示手段と、番組について、少なくとも番組内容の概要を表す解説文と再放送回数を特定できる情報とを含む番組情報を記録する番組情報記録媒体と、前記番組情報記録媒体に記録された全ての番組に関する番組情報の解説文を読み出す読み出し手段と、前記読み出し手段によって読み出された解説文から単語を切り出し、切り出した単語毎に、当該単語の出現頻度を計数する計数手段と、前記番組情報記録媒体に記録された番組情報の再放送回数を特定できる情報から、前記計数手段で出現頻度が計数された単語に係る番組の再放送回数を得る手段と、前記得られた番組の再放送回数に基づいて、当該番組について、再放送回数が多いほど値が小さくなる重みを求める手段とを備え、前記計数手段は、前記重みを加味して、前記切り出した単語毎に、当該単語の出現頻度の計数を行う視聴装置を提供する。
【００３５】
本発明の第３０態様によれば、番組を視聴する視聴装置を制御する方法であって、番組について、少なくとも番組内容の概要を表す解説文と再放送回数を特定できる情報とを含む番組情報を記録する番組情報記録媒体から、前記番組情報記録媒体に記録された全ての番組に関する番組情報の解説文を読み出す読み出しステップと、前記読み出しステップによって読み出された解説文から単語を切り出し、切り出した単語毎に、当該単語の出現頻度を計数する計数ステップと、前記番組情報記録媒体に記録された番組情報の再放送回数を特定できる情報から、前記計数ステップで出現頻度が計数された単語に係る番組の再放送回数を得る取得ステップと、前記取得ステップで得られた番組の再放送回数に基づいて、当該番組について、再放送回数が多いほど値が小さくなる重みを求めるステップとを有し、前記計数ステップは、前記重みを加味して、前記切り出した単語毎に、当該単語の出現頻度の計数を行う方法を提供する。
【００３６】
以下、本発明に係る受信端末装置の実施の形態について、図面に基づいて詳細に説明する。
【００３７】
〔実施の形態１〕
図１は本発明の実施の形態１に係るトレンド管理装置としての受信端末装置の構成を示すブロック図である。図１において、１０は例えば放送衛星から定期的または不定期的に送信されてくる番組情報を受信する番組情報受信手段、１１は受信した番組情報を記録媒体に記録する番組情報記録手段、１２は番組情報を記録しておく番組情報記録媒体、１３は記録された番組情報から番組ジャンルがドラマ、歌番組など、その番組の出演者が時代のトレンドを表すジャンルだけを選別する読み出し手段としての番組情報選別手段、１４は選別された番組情報の出演者情報から出演者の出現頻度をカウントする計数手段としての出演者出現頻度計数手段、１５はカウントされた出演者出現頻度情報を出現頻度に応じて記憶し管理するトレンド情報管理手段、１６は出現頻度順に従って図４のようにトレンドとなっている出演者（氏名）であるトレンド出演者情報１８を画面２００に表示するためのトレンド情報表示手段、１７は画面に表示されているトレンド出演者情報１８の中からユーザーがリモコン操作などによる選択番号入力によって視聴したいと思う出演者（氏名）であるトレンド出演者情報１８を選択するためのトレンド情報選択手段である。番組情報記録媒体１２としては、ハードディスクや半導体メモリのほかにフロッピーディスクや磁気テープなどでもよい。
【００３８】
図２は多種多様の番組情報のうちで本実施の形態１の場合に必要とされる番組情報を表すとともに、また番組情報記録媒体１２においてその番組情報を格納している１番組についての番組情報テーブル１２ａでの番組情報格納状態図である。本実施の形態１の場合、番組情報テーブル１２ａには、個々の番組についての番組名、番組放映日時、放送チャンネル、番組の主要な出演者（氏名）、番組のジャンルが格納されている。ただし、これ以外の番組情報を含むことを除外するものではない。番組情報記録媒体１２には、上記のような番組情報テーブル１２ａが非常に多数存在している。
【００３９】
以上のように構成された実施の形態１の受信端末装置の動作を図３に示すフローチャートに従って、以下に説明する。
【００４０】
ユーザーによるリモコン操作によりトレンド情報表示モードが選択されると、ステップＳ１からの動作がスタートし、ステップＳ１で図示しないＣＰＵ（中央演算処理装置）は番組情報記録媒体１２から番組情報の読み出しを行う。この読み出しは番組情報テーブルの１つごとに行う。ステップＳ２で番組情報選別手段１３は読み出した番組情報に対してジャンルのフィルタをかける。すなわち、読み出した番組情報のうちジャンルが時代のトレンドを表すジャンルであるドラマか歌番組となっている番組情報のみを選別する。ステップＳ２でジャンルがドラマと歌番組のいずれかに属しているかどうかを判断し、属していないときは、その番組情報についてステップＳ３以下の処理は放棄してステップＳ１に戻り、次の番組情報テーブルからの番組情報の読み出しに進む（番組情報読み出しのインクリメントを行う）が、属しているときにはステップＳ３に進む。なお、番組情報についてフィルタをかける時代のトレンドを表すジャンルの種類は任意である。ここでは、ドラマと歌番組を一例として取り上げている。
【００４１】
ステップＳ３〜Ｓ７は出演者出現頻度計数手段１４とトレンド情報管理手段１５の協働によって処理される。ステップＳ３でジャンルがドラマまたは歌番組に属している番組情報について本実施の形態１の場合のトレンドキーワードである出演者キーワードを取り出し（出演者氏名を示すコードデータを抽出し）、ステップＳ４でその出演者キーワードが出演者キーワードテーブルにすでに存在しているかどうかを判断する。その出演者キーワードが初回に取り出されたものであるときは、まだ出演者キーワードテーブルには存在していないから、ステップＳ５に進んで新キーワードとして出演者キーワードテーブルに追加する。この出演者キーワードテーブルは出演者出現頻度計数手段１４とトレンド情報管理手段１５とに共通のものとして設定されている。
【００４２】
ステップＳ５において新キーワードとして出演者キーワードテーブルに追加された場合、あるいは、取り出した出演者キーワードがすでに出演者キーワードテーブルに存在している場合、いずれも、ステップＳ６に進んで、その出演者キーワードに出現頻度としてのポイントを与える。すなわち、その出演者キーワードのカウント値を１だけインクリメントする。次いで、ステップＳ７に進んでこのルーチンにおいてＣＰＵによってまだ読み出されていない番組情報が番組情報記録媒体１２に存在しているかどうかを判断し、すべての番組情報についての読み出し・計数処理が終了していないときはステップＳ１に戻り、以下、同様の処理を繰り返し実行する。以上により、番組情報記録媒体１２に記録されているすべての番組情報の中からドラマと歌番組のジャンルにおける出演者の出現回数をカウントする。
【００４３】
番組情報記録媒体１２に記憶されているすべての番組情報について読み出し・計数処理が終了したときは、ステップＳ８に進んでトレンド情報管理手段１５は出演者キーワードテーブルにおいてポイントすなわち出現頻度の高い順に従って出演者キーワードをソートし、その結果を受け取ったトレンド情報表示手段１６はステップＳ９においてトレンド情報としてのトレンド出演者情報１８を出現頻度の高い順にディスプレイの画面２００に表示する。出現頻度の高いものほど現在のトレンドといえる。
【００４４】
以上のようにして得られたドラマおよび歌番組のジャンルでトレンドとなっている出演者（氏名）の表示状態の一例を図４に示す。トレンド出演者情報１８は、トレンド順位の高いものから降順で、トレンド順位番号と出演者氏名とが対になって表示される。
【００４５】
なお、ユーザーは、このあと、リモコンなどのトレンド情報選択手段１７によって所望のトレンド順位番号を入力すると、その入力によって選択されたトレンド出演者に関係のある（出演している）番組の集合だけが選択される。あとは選択したトレンド出演者が出演している番組についてのみ、例えば図５のようなジャンル別のメニュー１９を画面２００に表示し、所望の番組にたどり着くまでユーザーが選択肢を選んで行く。この例ではジャンル別のメニューを示したが、ユーザーが選択したトレンド出演者に限定された選択肢が順次に表示されていくインタフェースであればどのような形式でもよい。
【００４６】
本実施の形態１の受信端末装置によれば、画面２００に、トレンド出演者情報１８を出現頻度の高い順に一覧的に表示するので、非常に多数の番組の中から現在世の中で人気の高いトレンド出演者の出演している番組を容易に見つけ出すことができる。
【００４７】
なお、ジャンルの選別に当たって、本実施の形態１ではドラマと歌番組としているが、そのほかのジャンルについても、そのジャンルの出演者が時代、世相を反映したトレンドと考えられ得るジャンルについてはトレンドキーワードの計数の対象としてよい。例えば、ドラマと歌番組とバラエティ番組とクイズ番組とニュース番組の中から任意の２つまたは３つ以上のジャンルの組み合わせで選別してもよいし、単に１つのジャンルで選別してもよい。さらには、このような選別を行わずに、すべてのジャンルにおいて出演者出現頻度をカウントする場合も本発明は実施の形態として含むものとする。
【００４８】
なお、トレンド情報表示手段１６が出現頻度順に従って表示するトレンド出演者情報１８は、通常は、その出演者の氏名であるが、これ以外で、出演者の顔の画像であってもよい。
【００４９】
また、出現頻度順に従って表示されたトレンド出演者情報１８を選択するためのトレンド情報選択手段１７は、トレンド出演者の検索・表示をエッセンスとする本発明そのものとしては必須の要件ではなく、実機においては本発明が対象とする技術的範囲の外部において設けられていれば充分である。
【００５０】
また、番組情報受信手段１０と番組情報記録手段１１も本発明そのものとしては必須の要件ではない。番組情報記録媒体１２に対して何らかの方法で番組情報を格納すればよく、広義には番組情報を記録している番組情報記録媒体１２を何らかの手段で実機に接続するのでもよい。
【００５１】
〔実施の形態２〕
図６は本発明の実施の形態２に係る受信端末装置の構成を示すブロック図である。図６において、符号の１０から１５までは実施の形態１に係る図１と同一符号は同一構成を示すが、再度説明すると、１０は送信されてくる番組情報を受信する番組情報受信手段、１１は受信した番組情報を記録媒体に記録する番組情報記録手段、１２は番組情報を記録しておく番組情報記録媒体、１３は記録された番組情報から番組ジャンルがドラマ、歌番組など、その番組の出演者が時代のトレンドを表すジャンルだけを選別する番組情報選別手段、１４は選別された番組情報の出演者情報から出演者の出現頻度をカウントする出演者出現頻度計数手段、１５はカウントされた出演者出現頻度情報を出現頻度に応じて記憶し管理するトレンド情報管理手段である。本実施の形態２においては、実施の形態１（図１）の場合のトレンド情報表示手段１６およびトレンド情報選択手段１７は設けられていない。代わりとして、符号２１，２２で示す要素が設けられている。２１は図８、図９のように番組情報２３を画面２００に表示する番組情報表示手段、２２は表示中の番組情報２３にトレンド出演者情報が含まれていることを画面２００に表示するためのトレンド情報表示手段としてのトレンド情報含有表示手段である。
【００５２】
番組情報として得られるものおよび記録の形態は実施の形態１（図２）と同じであり、番組名、番組放映日時、放送チャンネル、番組の主要な出演者（氏名）、番組のジャンルが番組情報テーブル１２ａに格納されている。
【００５３】
以上のように構成された実施の形態２の受信端末装置の動作を図７に示すフローチャートに従って、以下に説明する。
【００５４】
ユーザーによるリモコン操作によりトレンド情報表示モードが選択されると、ステップＳ１１からの動作がスタートする。ステップＳ１１〜Ｓ１８は、実施の形態１（図３）の場合のステップＳ１〜Ｓ８と同様である。簡単に説明すると、番組情報記録媒体１２から番組情報の読み出しを行い、ジャンルがドラマか歌番組であるときに出演者キーワードをカウントし、トレンド情報管理手段１５において出現頻度順に従って出演者キーワードをソートし、記憶・管理している。
【００５５】
トレンド情報管理手段１５によるソートの次のステップＳ１９で番組情報表示手段２１は図８に示すようにディスプレイの画面２００に番組情報２３を表示する。そして、ステップＳ２０でトレンド情報管理手段１５は画面２００に表示中の番組情報２３に出現頻度が一定以上上位の出演者情報が存在しているかどうかを判断し、存在しているときはステップＳ２１でトレンド情報含有表示手段２２が図８の画面２００の右上（これは特に限定するものではなく、表示位置は任意である）に示すようにその表示中の番組情報２３に係るトレンド出演者のトレンド順位情報２４を表示する。図８の例ではトレンド順位情報２４として「トレンドNo.1」と表示されている。
【００５６】
トレンド情報含有表示手段２２は、トレンド順位情報２４を表示することに代えて、画面２００に表示中の番組情報２３に出現頻度が一定以上上位の出演者情報が存在しているときに、図９に示すようにトレンド出演者情報が含まれていることを示す絵記号などのトレンド情報含有表示マーク２５を表示するようにしてもよい。あるいは、該当する番組情報の表示色を該当しない場合の表示色とは明らかに異なる色にして表示するようにしてもよい。この場合に、画面の全体をそのような表示色にしてもよいし、トレンド出演者の表示をそのような表示色にしてもよい。
【００５７】
本実施の形態２の受信端末装置によれば、画面表示した番組情報がトレンド出演者に係る番組情報である場合には、その画面に、トレンド順位情報２４またはトレンド情報含有表示マーク２５を表示しあるいはその番組情報を他の場合とは異なる表示色で表示するので、非常に多数の番組の中から現在世の中で人気の高いトレンド出演者の出演している番組を容易に見つけ出すことができる。
【００５８】
なお、ジャンルの選別に当たって、前述同様にそのジャンルの出演者が時代、世相を反映したトレンドと考えられ得る任意のジャンルについてトレンドキーワードの計数の対象としてよい。また、このような選別を行わずに、すべてのジャンルにおいて出演者出現頻度をカウントする場合も本発明は実施の形態として含むものとする。
【００５９】
また、番組情報受信手段１０と番組情報記録手段１１も本発明そのものとしては必須の要件ではない。番組情報記録媒体１２に対して何らかの方法で番組情報を格納すればよく、広義には番組情報を記録している番組情報記録媒体１２を何らかの手段で実機に接続するのでもよい。
【００６０】
〔実施の形態３〕
図１０は本発明の実施の形態３に係る受信端末装置の構成を示すブロック図である。図１０において、符号の１０から１５までは実施の形態１に係る図１と同一符号は同一構成を示すが、再度説明すると、１０は送信されてくる番組情報を受信する番組情報受信手段、１１は受信した番組情報を記録媒体に記録する番組情報記録手段、１２は番組情報を記録しておく番組情報記録媒体、１３は記録された番組情報から番組ジャンルがドラマ、歌番組など、その番組の出演者が時代のトレンドを表すジャンルだけを選別する番組情報選別手段、１４は選別された番組情報の出演者情報から出演者の出現頻度をカウントする出演者出現頻度計数手段、１５はカウントされた出演者出現頻度情報を出現頻度に応じて記憶し管理するトレンド情報管理手段である。また、３１は図１２、図１３のように番組表３３を画面２００に表示する番組表表示手段、３２は表示中の番組表３３にトレンドである情報が含まれていることを表示するトレンド情報表示手段としてのトレンド情報含有表示手段である。
【００６１】
番組情報として得られるものおよび記録の形態は実施の形態１（図２）と同じであり、番組名、番組放映日時、放送チャンネル、番組の主要な出演者（氏名）、番組のジャンルが番組情報テーブル１２ａに格納されている。
【００６２】
以上のように構成された実施の形態３の受信端末装置の動作を図１１に示すフローチャートに従って、以下に説明する。
【００６３】
ユーザーによるリモコン操作によりトレンド情報表示モードが選択されると、ステップＳ３１からの動作がスタートする。ステップＳ３１〜Ｓ３８は、実施の形態１（図３）の場合のステップＳ１〜Ｓ８と同様である。簡単に説明すると、番組情報記録媒体１２から番組情報の読み出しを行い、ジャンルがドラマか歌番組であるときに出演者キーワードをカウントし、トレンド情報管理手段１５において出現頻度順に従って出演者キーワードをソートし、記憶・管理している。
【００６４】
トレンド情報管理手段１５によるソートの次のステップＳ３９で番組表表示手段３１は図１２に示すようにディスプレイの画面２００に番組表３３を表示する。番組表３３は、縦軸をチャンネル軸に、横軸を時間軸にした番組一覧表表示の形態をとる。そして、ステップＳ４０でトレンド情報管理手段１５は画面２００に表示中の番組表３３中のセルに出現頻度が一定以上上位の出演者情報が存在しているかどうかを判断し、存在しているときはトレンド情報含有表示手段３２が図１２の画面２００上の番組表３３内の該当するセルにおいてそのセルの番組情報に係るトレンド出演者のトレンド順位情報３４を表示する。図１２の例ではトレンド順位情報３４として「トレンドNo.1」、「トレンドNo.3」と表示されている。
【００６５】
トレンド情報含有表示手段３２は、トレンド順位情報３４を表示することに代えて、画面２００に表示中の番組表３３中のセルに出現頻度が一定以上上位の出演者情報が存在しているときに、図１３に示すようにトレンド出演者情報が含まれていることを示す絵記号などのトレンド情報含有表示マーク３５を表示するようにしてもよい。あるいは、該当するセルの表示色を他のセルの表示色とは明らかに異なる色にして、そのセルを表示するようにしてもよい。
【００６６】
本実施の形態３の受信端末装置によれば、画面表示した番組表中において、トレンド出演者を含む番組情報のセルがある場合には、そのセル中に、トレンド順位情報３４またはトレンド情報含有表示マーク３５を表示しあるいは該当するセルを他のセルとは異なる表示色で表示するので、非常に多数の番組の中から現在世の中で人気の高いトレンド出演者の出演している番組を容易に見つけ出すことができる。
【００６７】
なお、ジャンルの選別に当たって、前述同様にそのジャンルの出演者が時代、世相を反映したトレンドと考えられ得る任意のジャンルについてトレンドキーワードの計数の対象としてよい。また、このような選別を行わずに、すべてのジャンルにおいて出演者出現頻度をカウントする場合も本発明は実施の形態として含むものとする。
【００６８】
また、番組情報受信手段１０と番組情報記録手段１１も本発明そのものとしては必須の要件ではない。番組情報記録媒体１２に対して何らかの方法で番組情報を格納すればよく、広義には番組情報を記録している番組情報記録媒体１２を何らかの手段で実機に接続するのでもよい。
【００６９】
〔実施の形態４〕
図１４は本発明の実施の形態４に係る録画装置としての受信端末装置の構成を示すブロック図である。図１４において、符号の１０から１５までは実施の形態１に係る図１と同一符号は同一構成を示すが、再度説明すると、１０は送信されてくる番組情報を受信する番組情報受信手段、１１は受信した番組情報を記録媒体に記録する番組情報記録手段、１２は番組情報を記録しておく番組情報記録媒体、１３は記録された番組情報から番組ジャンルがドラマ、歌番組など、その番組の出演者が時代のトレンドを表すジャンルだけを選別する番組情報選別手段、１４は選別された番組情報の出演者情報から出演者の出現頻度をカウントする出演者出現頻度計数手段、１５はカウントされた出演者出現頻度情報を出現頻度に応じて記憶し管理するトレンド情報管理手段である。また、４１は放送されてくる番組を受信する番組受信手段、４２は受信した番組を記録媒体に記録する番組記録手段、４３は番組を記録しておく番組記録媒体である。番組記録媒体４３としてはハードディスクや半導体メモリのほかフロッピーディスクやビデオテープであってもよい。
【００７０】
番組情報として得られるものおよび記録の形態は実施の形態１（図２）と同じであり、番組名、番組放映日時、放送チャンネル、番組の主要な出演者（氏名）、番組のジャンルが番組情報テーブル１２ａに格納されている。
【００７１】
以上のように構成された実施の形態４の受信端末装置の動作を図１５に示すフローチャートに従って、以下に説明する。
【００７２】
ユーザーによるリモコン操作によりトレンド情報表示モードが選択されると、ステップＳ４１からの動作がスタートする。ステップＳ４１〜Ｓ４８は、実施の形態１（図３）の場合のステップＳ１〜Ｓ８と同様である。簡単に説明すると、番組情報記録媒体１２から番組情報の読み出しを行い、ジャンルがドラマか歌番組であるときに出演者キーワードをカウントし、トレンド情報管理手段１５において出現頻度順に従って出演者キーワードをソートし、記憶・管理している。
【００７３】
トレンド情報管理手段１５によるソートの次のステップＳ４９でトレンド情報管理手段１５は、番組記録手段４２の状態が録画する番組をユーザーが指定しない自動録画モードとなっているとき、カレントキーワードとして出現頻度の最も高い出演者キーワードを設定し、ステップＳ５０で番組記録手段４２はカレントキーワードを含む番組を番組記録媒体４３の現在の空き領域に記録することができるかどうかを判断し、その空き領域に記憶できるときにはステップＳ５１に進んで録画予約を設定し、トレンド出演者が出演している該当の番組を番組受信手段４１が受信する時間帯になると、番組記録手段４２はその受信した番組を自動的に番組記録媒体４３に記録する。
【００７４】
そして、その番組の記録が終了すると、カレントキーワードとして次に出現頻度の高い出演者キーワードを設定して、ステップＳ５０に進み、以下同様の動作を繰り返す。番組記録媒体４３において空き領域がなくなったときは、このルーチンを終了する。
【００７５】
以上のようにして、トレンド順位の高い出演者が出演している番組を優先的に録画する。
【００７６】
本実施の形態４の受信端末装置によれば、トレンド出演者に係る番組情報がある場合には、そのトレンド出演者が出演している番組を自動的に録画するので、トレンド番組を見落とすのを防止することができる。
【００７７】
なお、本実施の形態では、図１５のＳ５１において番組の記録をしているか、Ｓ５１では番組の予約を行うだけでもよい。この場合Ｓ５０における記録媒体の空領域の計算にあたっては録画予約されている番組の容量は引いて計算を行う。
【００７８】
なお、ジャンルの選別に当たって、前述同様にそのジャンルの出演者が時代、世相を反映したトレンドと考えられ得る任意のジャンルについてトレンドキーワードの計数の対象としてよい。また、このような選別を行わずに、すべてのジャンルにおいて出演者出現頻度をカウントする場合も本発明は実施の形態として含むものとする。
【００７９】
また、番組情報受信手段１０と番組情報記録手段１１も本発明そのものとしては必須の要件ではない。番組情報記録媒体１２に対して何らかの方法で番組情報を格納すればよく、広義には番組情報を記録している番組情報記録媒体１２を何らかの手段で実機に接続するのでもよい。
【００８０】
〔実施の形態５〕
図１６は本発明の実施の形態５に係る受信端末装置の構成を示すブロック図である。図１６において、符号の１０から１５までと４１から４３までとは実施の形態４に係る図１４と同一符号は同一構成を示すが、再度説明すると、１０は送信されてくる番組情報を受信する番組情報受信手段、１１は受信した番組情報を記録媒体に記録する番組情報記録手段、１２は番組情報を記録しておく番組情報記録媒体、１３は記録された番組情報から番組ジャンルがドラマ、歌番組など、その番組の出演者が時代のトレンドを表すジャンルだけを選別する番組情報選別手段、１４は選別された番組情報の出演者情報から出演者の出現頻度をカウントする出演者出現頻度計数手段、１５はカウントされた出演者出現頻度情報を出現頻度に応じて記憶し管理するトレンド情報管理手段、４１は放送されてくる番組を受信する番組受信手段、４２は受信した番組を記録媒体に記録する番組記録手段、４３は番組を記録しておく番組記録媒体である。また、４４は記録モードに入ったときに番組記録媒体４３の空き領域が充分でないときに、番組記録媒体４３にすでに記録されている番組であってトレンド順位が下位であった出演者の番組を番組記録媒体４３から消去廃棄する番組廃棄手段である。
【００８１】
番組情報として得られるものおよび記録の形態は実施の形態１（図２）と同じであり、番組名、番組放映日時、放送チャンネル、番組の主要な出演者（氏名）、番組のジャンルが番組情報テーブル１２ａに格納されている。
【００８２】
以上のように構成された実施の形態５の受信端末装置の動作を図１７に示すフローチャートに従って、以下に説明する。
【００８３】
ステップＳ６１〜Ｓ６８は、実施の形態１（図３）の場合のステップＳ１〜Ｓ８と同様である。簡単に説明すると、番組情報記録媒体１２から番組情報の読み出しを行い、ジャンルがドラマか歌番組であるときに出演者キーワードをカウントし、トレンド情報管理手段１５において出現頻度順に従って出演者キーワードをソートし、記憶・管理している。
【００８４】
ただし、実施の形態４の自動記録モードの場合に、番組記録媒体４３の空き領域が充分でないとの判断がなされたときに、ステップＳ６１からの動作がスタートする。
【００８５】
トレンド情報管理手段１５によるソートの次のステップＳ６９でトレンド情報管理手段１５はカレントキーワードとして出現頻度の最も低い出演者キーワードを設定し、ステップＳ７０で番組廃棄手段４４はカレントキーワードを含む番組を番組記録媒体４３から消去廃棄する。次いで、ステップＳ７１で図１５のステップＳ５１の番組の記録を行うのに充分な空き領域が番組記録媒体４３に確保されたか否かを判断し、まだ充分でないと判断したときはカレントキーワードとして次に出現頻度の低い出演者キーワードを設定して、ステップＳ７０に進み、以下同様の動作を繰り返す。番組記録媒体４３において空き領域が充分に確保されたときには、このルーチンを終了する。
【００８６】
以上のようにして、番組記録媒体４３において空き領域が不足している場合には、トレンド順位の低い出演者が出演している番組を優先して消去廃棄する。
【００８７】
本実施の形態５の受信端末装置によれば、自動記録モードになったときに、番組記録媒体４３に空き領域が充分に確保されていないときは、トレンド順位の低い出演者が出演している番組から順に番組記録媒体４３から消去廃棄するので、番組記録媒体４３において空き領域を充分に確保して、次に放送されるトレンド順位の高い出演者が出演している番組を自動的に番組記録媒体４３に記録することができ、トレンド番組を見落とすのを確実に防止することができる。
【００８８】
なお、ジャンルの選別に当たって、前述同様にそのジャンルの出演者が時代、世相を反映したトレンドと考えられ得る任意のジャンルについてトレンドキーワードの計数の対象としてよい。また、このような選別を行わずに、すべてのジャンルにおいて出演者出現頻度をカウントする場合も本発明は実施の形態として含むものとする。
【００８９】
また、番組情報受信手段１０と番組情報記録手段１１も本発明そのものとしては必須の要件ではない。番組情報記録媒体１２に対して何らかの方法で番組情報を格納すればよく、広義には番組情報を記録している番組情報記録媒体１２を何らかの手段で実機に接続するのでもよい。
【００９０】
〔実施の形態６〕
図１８は本発明の実施の形態６に係るトレンド管理装置としての受信端末装置の構成を示すブロック図である。図１８において、１０は例えば放送衛星から定期的または不定期的に送信されてくる番組情報を受信する番組情報受信手段、１１は受信した番組情報を記録媒体に記録する番組情報記録手段、１２は番組情報を記録しておく番組情報記録媒体、５１は記録された番組情報から番組ジャンルがニュース、報道など、その番組で取り上げられるトピックが時代のトレンドを表すジャンルだけを選別する読み出し手段としての番組情報選別手段、５２は選別された番組情報の内容解説の文から、文を構成する各単語の切り出しを行う単語切り出し手段、５３は切り出された単語の出現頻度をカウントする単語出現頻度計数手段、５４は類似した単語を併合する類似単語併合手段、５５はカウントされた単語出現頻度情報を出現頻度に応じて記憶し管理するトレンド情報管理手段、５６は出現頻度順に従って図２１のようにトレンドとなっている単語であるトレンド単語情報５８を画面２００に表示するためのトレンド情報表示手段、５７は画面に表示されているトレンド単語情報５８の中からユーザーがリモコン操作などによる選択番号入力によって視聴したいと思う番組に係るトレンド単語情報５８を選択するためのトレンド情報選択手段である。単語切り出し手段５２、単語出現頻度計数手段５３および類似単語併合手段５４によって、計数手段が構成されている。
【００９１】
図１９は多種多様の番組情報のうちで本実施の形態６の場合に必要とされる番組情報を表すとともに、また番組情報記録媒体１２においてその番組情報を格納している１番組についての番組情報テーブル１２ｂでの番組情報格納状態図である。本実施の形態６の場合、番組情報テーブル１２ｂには、個々の番組についての番組名、番組放映日時、放送チャンネル、番組のジャンル、番組の内容の概略の解説の文が格納されている。ただし、これ以外の番組情報を含むことを除外するものではない。番組情報記録媒体１２には、上記のような番組情報テーブル１２ｂが非常に多数存在している。
【００９２】
以上のように構成された実施の形態６の受信端末装置の動作を図２０に示すフローチャートに従って、以下に説明する。
【００９３】
ユーザーによるリモコン操作によりトレンド情報表示モードが選択されると、ステップＳ８１からの動作がスタートし、ステップＳ８１で図示しないＣＰＵ（中央演算処理装置）は番組情報記録媒体１２から番組情報の読み出しを行う。この読み出しは番組情報テーブルの１つごとに行う。ステップＳ８２で番組情報選別手段５１は読み出した番組情報に対してジャンルのフィルタをかける。すなわち、読み出した番組情報のうち番組の内容が時代のトレンドを表すジャンルであるニュース番組か報道番組となっている番組情報のみを選別する。ステップＳ８２でジャンルがニュース番組と報道番組のいずれかに属しているかどうかを判断し、属していないときは、その番組情報についてステップＳ８３以下の処理は放棄してステップＳ８１に戻り、次の番組情報テーブルからの番組情報の読み出しに進む（番組情報読み出しのインクリメントを行う）が、属しているときにはステップＳ８３に進む。なお、番組情報についてフィルタをかける時代のトレンドを表すジャンルの種類は任意である。ここでは、ニュース番組と報道番組を一例として取り上げている。ステップＳ８３で単語切り出し手段５２は読み出した番組情報の中から内容解説の文における単語キーワードを取り出し、ステップＳ８４に進む。
【００９４】
ステップＳ８４〜Ｓ８７は単語出現頻度計数手段５３とトレンド情報管理手段５５の協働によって処理される。ステップＳ８３でジャンルがニュース番組または報道番組に属している番組情報について本実施の形態６の場合のトレンドキーワードである単語キーワードを取り出し（単語を示すコードデータを抽出し）、ステップＳ８４でその単語キーワードが単語キーワードテーブルにすでに存在しているかどうかを判断する。その単語キーワードが初回に取り出されたものであるときは、まだ単語キーワードテーブルには存在していないから、ステップＳ８５に進んで新キーワードとして単語キーワードテーブルに追加する。この単語キーワードテーブルは単語出現頻度計数手段５３とトレンド情報管理手段５５とに共通のものとして設定されている。
【００９５】
ステップＳ８５において新キーワードとして単語キーワードテーブルに追加された場合、あるいは、取り出した単語キーワードがすでに単語キーワードテーブルに存在している場合、いずれも、ステップＳ８６に進んで、その単語キーワードに出現頻度としてのポイントを与える。すなわち、その単語キーワードのカウント値を１だけインクリメントする。次いで、ステップＳ８７に進んでこのルーチンにおいてＣＰＵによってまだ読み出されていない番組情報が番組情報記録媒体１２に存在しているかどうかを判断し、すべての番組情報についての読み出し・計数処理が終了していないときはステップＳ８１に戻り、以下、同様の処理を繰り返し実行する。以上により、番組情報記録媒体１２に記録されているすべての番組情報の中からニュース番組と報道番組のジャンルにおける内容解説の文の中に出ている単語の出現回数をカウントする。単語の切り出しについては、自然言語処理の分野では様々な手法が提案されているので、それらのどの方法を用いてもよい。
【００９６】
番組情報記録媒体１２に記憶されているすべての番組情報について読み出し・計数処理が終了したときには、ステップＳ８８において類似単語併合手段５４は類似単語キーワードのチェックをする。これは、例えば「オウム真理教」と「オウム教団」は同じことがらを表すが、これらがおのおの別の単語として扱われるの防止するためである。類似単語キーワードのチェックは比較するキーワード間で共有する文字列をどのくらい含んでいるかで決定する。ステップＳ８９で類似単語キーワードが存在するか否かを判断し、存在するときは単語キーワードのマージ（２つ以上のデータを１つに併合すること）の処理を行う。マージ処理では単語キーワードに与えられているポイントの合計も行う。マージ処理が終わるとステップＳ９１に進む。類似単語キーワードが存在しないときもステップＳ９１に進む。ステップＳ９１において類似単語併合手段５４は単語キーワードテーブルに未処理の単語キーワードがまだ存在しているか否かを判断し、存在しているときはステップＳ８８に戻って以下同様の処理を繰り返すが、もう存在しておらず類似単語併合処理が終了したときは、ステップＳ９２に進む。
【００９７】
ステップＳ９２でトレンド情報管理手段５５は単語キーワードテーブルにおいてポイントすなわち出現頻度の高い順に従って単語キーワードをソートし、その結果を受け取ったトレンド情報表示手段５６はステップＳ９３においてトレンド情報としてのトレンド単語情報５８を出現頻度の高い順にディスプレイの画面２００に表示する。出現頻度の高いものほど現在のトレンドといえる。
【００９８】
以上のようにして得られたニュース番組および報道番組のジャンルでトレンドとなっている出現頻度の高い単語群の表示状態の一例を図２１に示す。トレンド単語情報５８は、トレンド順位の高いものから降順で、トレンド順位番号とトレンド単語とが対になって表示される。
【００９９】
なお、ユーザーは、このあと、リモコンなどのトレンド情報選択手段５７によって所望のトレンド順位番号を入力すると、その入力によって選択されたトレンド単語に関係のある番組の集合だけが選択される。あとは選択したトレンド単語関連番組についてのみ、例えば図２２のようなジャンル別のメニュー５９を画面２００に表示し、所望の番組にたどり着くまでユーザーが選択肢を選んで行く。この例ではジャンル別のメニューを示したが、ユーザーが選択したトレンド単語に限定された選択肢が順次に表示されていくインタフェースであればどのような形式でもよい。
【０１００】
本実施の形態６の受信端末装置によれば、画面に、トレンド単語情報を出現頻度の高い順に一覧的に表示するので、非常に多数の番組の中から現在世の中で人気の高いトレンド単語が出てくる内容の番組を容易に見つけ出すことができる。
【０１０１】
なお、ジャンルの選別に当たって、本実施の形態６ではニュース番組と報道番組としているが、そのほかのジャンルについても、そのジャンルの単語が時代、世相を反映したトレンドと考えられ得るジャンルについてはトレンドキーワードの計数の対象としてよい。例えば、ニュース番組と報道番組とワイドショー番組とドキュメンタリー番組とスペシャル番組の中から任意の２つまたは３つ以上のジャンルの組み合わせで選別してもよいし、単に１つのジャンルで選別してもよい。さらには、このような選別を行わずに、すべてのジャンルにおいて内容解説の文中の単語出現頻度をカウントする場合も本発明は実施の形態として含むものとする。
【０１０２】
また、出現頻度順に従って表示されたトレンド単語情報５８を選択するためのトレンド情報選択手段５７は、トレンド単語の検索・表示をエッセンスとする本発明そのものとしては必須の要件ではなく、実機においては本発明が対象とする技術的範囲の外部において設けられていれば充分である。
【０１０３】
さらに、類似する単語キーワードをマージ（併合）するための類似単語併合手段５４はあった方が分類上好ましいといえるが、本発明そのものとしては必ずしも必須の要件とはしなくてよく、実機においては本発明が対象とする技術的範囲の外部において設けられていれば充分である。
【０１０４】
また、番組情報受信手段１０と番組情報記録手段１１も本発明そのものとしては必須の要件ではない。番組情報記録媒体１２に対して何らかの方法で番組情報を格納すればよく、広義には番組情報を記録している番組情報記録媒体１２を何らかの手段で実機に接続するのでもよい。
【０１０５】
〔実施の形態７〕
図２３は本発明の実施の形態７に係る受信端末装置の構成を示すブロック図である。図２３において、符号の１０から１２までと５１から５５までは実施の形態６に係る図１８と同一符号は同一構成を示すが、再度説明すると、１０は送信されてくる番組情報を受信する番組情報受信手段、１１は受信した番組情報を記録媒体に記録する番組情報記録手段、１２は番組情報を記録しておく番組情報記録媒体、５１は記録された番組情報から番組ジャンルがニュース、報道など、その番組で取り上げられるトピックが時代のトレンドを表すジャンルだけを選別する番組情報選別手段、５２は選別された番組情報の内容解説の文から、文を構成する各単語の切り出しを行う単語切り出し手段、５３は切り出された単語の出現頻度をカウントする単語出現頻度計数手段、５４は類似した単語を併合する類似単語併合手段、５５はカウントされた単語出現頻度情報を出現頻度に応じて記憶し管理するトレンド情報管理手段である。本実施の形態７においては、実施の形態６（図１８）の場合のトレンド情報表示手段５６およびトレンド情報選択手段５７は設けられていない。代わりとして、符号６１，６２で示す要素が設けられている。６１は図２６、図２７のように番組情報６３を画面２００に表示する番組情報表示手段、６２は表示中の番組情報６３にトレンド単語情報が含まれていることを画面２００に表示するためのトレンド情報表示手段としてのトレンド情報含有表示手段である。
【０１０６】
番組情報として得られるものおよび記録の形態は実施の形態６（図１９）と同じであり、番組名、番組放映日時、放送チャンネル、番組のジャンル、番組の内容解説の文が番組情報テーブル１２ｂに格納されている。
【０１０７】
以上のように構成された実施の形態７の受信端末装置の動作を図２４、図２５に示すフローチャートに従って、以下に説明する。
【０１０８】
ユーザーによるリモコン操作によりトレンド情報表示モードが選択されると、ステップＳ１０１からの動作がスタートする。ステップＳ１０１〜Ｓ１１２は、実施の形態６（図２０）の場合のステップＳ８１〜Ｓ９２と同様である。簡単に説明すると、番組情報記録媒体１２から番組情報の読み出しを行い、ジャンルがニュース番組か報道番組であるときに単語キーワードをカウントし、類似単語併合手段５４によって類似単語キーワードをマージ（併合）し、トレンド情報管理手段５５において出現頻度順に従って単語キーワードをソートし、記憶・管理している。
【０１０９】
トレンド情報管理手段５５によるソートの次のステップＳ１１３で番組情報表示手段６１は図２６に示すようにディスプレイの画面２００に番組情報６３を表示する。そして、ステップＳ１１４でトレンド情報管理手段５５は画面２００に表示中の番組情報６３に出現頻度が一定以上上位の単語情報が存在しているかどうかを判断し、存在しているときはステップＳ１１５でトレンド情報含有表示手段６２が図２６の画面２００の右上（これは特に限定するものではなく、表示位置は任意である）に示すようにその表示中の番組情報６３に係るトレンド単語のトレンド順位情報６４を表示する。図２６の例ではトレンド順位情報６４として「トレンドNo.1」と表示されている。
【０１１０】
トレンド情報含有表示手段６２は、トレンド順位情報６４を表示することに代えて、画面２００に表示中の番組情報６３に出現頻度が一定以上上位の単語情報が存在しているときに、図２７に示すようにトレンド単語情報が含まれていることを示す絵記号などのトレンド情報含有表示マーク６５を表示するようにしてもよい。あるいは、該当する番組情報の表示色を該当しない場合の表示色とは明らかに異なる色にして表示するようにしてもよい。この場合に、画面の全体をそのような表示色にしてもよいし、トレンド単語の表示をそのような表示色にしてもよい。
【０１１１】
本実施の形態７の受信端末装置によれば、画面表示した番組情報がトレンド単語に係る番組情報である場合には、その画面に、トレンド順位情報６４またはトレンド情報含有表示マーク６５を表示しあるいはその番組情報を他の場合とは異なる表示色で表示するので、非常に多数の番組の中から現在世の中でトレンドとされている単語が出てくる内容の番組を容易に見つけ出すことができる。
【０１１２】
なお、ジャンルの選別に当たって、前述同様にそのジャンルの単語が時代、世相を反映したトレンドと考えられ得る任意のジャンルについてトレンドキーワードの計数の対象としてよい。また、このような選別を行わずに、すべてのジャンルにおいて単語出現頻度をカウントする場合も本発明は実施の形態として含むものとする。
【０１１３】
さらに、類似する単語キーワードをマージ（併合）するための類似単語併合手段５４はあった方が分類上好ましいといえるが、本発明そのものとしては必ずしも必須の要件とはしなくてよく、実機においては本発明が対象とする技術的範囲の外部において設けられていれば充分である。
【０１１４】
また、番組情報受信手段１０と番組情報記録手段１１も本発明そのものとしては必須の要件ではない。番組情報記録媒体１２に対して何らかの方法で番組情報を格納すればよく、広義には番組情報を記録している番組情報記録媒体１２を何らかの手段で実機に接続するのでもよい。
【０１１５】
〔実施の形態８〕
図２８は本発明の実施の形態８に係る受信端末装置の構成を示すブロック図である。図２８において、符号の１０から１２までと５１から５５までは実施の形態６に係る図１８と同一符号は同一構成を示すが、再度説明すると、１０は送信されてくる番組情報を受信する番組情報受信手段、１１は受信した番組情報を記録媒体に記録する番組情報記録手段、１２は番組情報を記録しておく番組情報記録媒体、５１は記録された番組情報から番組ジャンルがニュース、報道など、その番組で取り上げられるトピックが時代のトレンドを表すジャンルだけを選別する番組情報選別手段、５２は選別された番組情報の内容解説の文から、文を構成する各単語の切り出しを行う単語切り出し手段、５３は切り出された単語の出現頻度をカウントする単語出現頻度計数手段、５４は類似した単語を併合する類似単語併合手段、５５はカウントされた単語出現頻度情報を出現頻度に応じて記憶し管理するトレンド情報管理手段である。また、７１は図３１、図３２のように番組表７３を画面２００に表示する番組表表示手段、７２は表示中の番組表７３にトレンドである情報が含まれていることを表示するトレンド情報表示手段としてのトレンド情報含有表示手段である。
【０１１６】
番組情報として得られるものおよび記録の形態は実施の形態６（図１９）と同じであり、番組名、番組放映日時、放送チャンネル、番組のジャンル、番組の内容解説の文が番組情報テーブル１２ｂに格納されている。
【０１１７】
以上のように構成された実施の形態８の受信端末装置の動作を図２９、図３０に示すフローチャートに従って、以下に説明する。
【０１１８】
ユーザーによるリモコン操作によりトレンド情報表示モードが選択されると、ステップＳ１２１からの動作がスタートする。ステップＳ１２１〜Ｓ１３２は、実施の形態６（図２０）の場合のステップＳ８１〜Ｓ９２と同様である。簡単に説明すると、番組情報記録媒体１２から番組情報の読み出しを行い、ジャンルがニュース番組か報道番組であるときに単語キーワードをカウントし、類似単語併合手段５４によって類似単語キーワードをマージ（併合）し、トレンド情報管理手段５５において出現頻度順に従って単語キーワードをソートし、記憶・管理している。
【０１１９】
トレンド情報管理手段５５によるソートの次のステップＳ１３３で番組表表示手段６１は図３１に示すようにディスプレイの画面２００に番組表７３を表示する。番組表７３は、縦軸をチャンネル軸に、横軸を時間軸にした番組一覧表表示の形態をとる。そして、ステップＳ１３４でトレンド情報管理手段５５は画面２００に表示中の番組表７３中のセルに出現頻度が一定以上上位の単語情報が存在しているかどうかを判断し、存在しているときはトレンド情報含有表示手段６２が図３１の画面２００上の番組表７３内の該当するセルにおいてそのセルの番組情報に係るトレンド単語のトレンド順位情報７４を表示する。図３１の例ではトレンド順位情報７４として「トレンドNo.1」、「トレンドNo.3」と表示されている。
【０１２０】
トレンド情報含有表示手段６２は、トレンド順位情報７４を表示することに代えて、画面２００に表示中の番組表７３中のセルに出現頻度が一定以上上位の単語情報が存在しているときに、図３２に示すようにトレンド単語情報が含まれていることを示す絵記号などのトレンド情報含有表示マーク７５を表示するようにしてもよい。あるいは、該当するセルの表示色を他のセルの表示色とは明らかに異なる色にして、そのセルを表示するようにしてもよい。
【０１２１】
本実施の形態８の受信端末装置によれば、画面表示した番組表中において、トレンド単語を含む番組情報のセルがある場合には、そのセル中に、トレンド順位情報またはトレンド情報含有表示マークを表示しあるいは該当するセルを他のセルとは異なる表示色で表示するので、非常に多数の番組の中から現在世の中で人気の高いトレンド単語が出てくる内容の番組を容易に見つけ出すことができる。
【０１２２】
なお、ジャンルの選別に当たって、前述同様にそのジャンルの単語が時代、世相を反映したトレンドと考えられ得る任意のジャンルについてトレンドキーワードの計数の対象としてよい。また、このような選別を行わずに、すべてのジャンルにおいて単語出現頻度をカウントする場合も本発明は実施の形態として含むものとする。
【０１２３】
さらに、類似する単語キーワードをマージ（併合）するための類似単語併合手段５４はあった方が分類上好ましいといえるが、本発明そのものとしては必ずしも必須の要件とはしなくてよく、実機においては本発明が対象とする技術的範囲の外部において設けられていれば充分である。
【０１２４】
また、番組情報受信手段１０と番組情報記録手段１１も本発明そのものとしては必須の要件ではない。番組情報記録媒体１２に対して何らかの方法で番組情報を格納すればよく、広義には番組情報を記録している番組情報記録媒体１２を何らかの手段で実機に接続するのでもよい。
【０１２５】
〔実施の形態９〕
図３３は本発明の実施の形態９に係る録画装置としての受信端末装置の構成を示すブロック図である。図３３において、符号の１０から１２までと５１から５５までは実施の形態６に係る図１８と同一符号は同一構成を示すが、再度説明すると、１０は送信されてくる番組情報を受信する番組情報受信手段、１１は受信した番組情報を記録媒体に記録する番組情報記録手段、１２は番組情報を記録しておく番組情報記録媒体、５１は記録された番組情報から番組ジャンルがニュース、報道など、その番組で取り上げられるトピックが時代のトレンドを表すジャンルだけを選別する番組情報選別手段、５２は選別された番組情報の内容解説の文から、文を構成する各単語の切り出しを行う単語切り出し手段、５３は切り出された単語の出現頻度をカウントする単語出現頻度計数手段、５４は類似した単語を併合する類似単語併合手段、５５はカウントされた単語出現頻度情報を出現頻度に応じて記憶し管理するトレンド情報管理手段である。また、８１は放送されてくる番組を受信する番組受信手段、８２は受信した番組を記録媒体に記録する番組記録手段、８３は番組を記録しておく番組記録媒体である。番組記録媒体８３としてはハードディスクや半導体メモリのほかフロッピーディスクやビデオテープであってもよい。
【０１２６】
番組情報として得られるものおよび記録の形態は実施の形態６（図１９）と同じであり、番組名、番組放映日時、放送チャンネル、番組のジャンル、番組の内容解説の文が番組情報テーブル１２ｂに格納されている。
【０１２７】
以上のように構成された実施の形態９の受信端末装置の動作を図３４、図３５に示すフローチャートに従って、以下に説明する。
【０１２８】
ユーザーによるリモコン操作によりトレンド情報表示モードが選択されると、ステップＳ１４１からの動作がスタートする。ステップＳ１４１〜Ｓ１５２は、実施の形態６（図２０）の場合のステップＳ８１〜Ｓ９２と同様である。簡単に説明すると、番組情報記録媒体１２から番組情報の読み出しを行い、ジャンルがニュース番組か報道番組であるときに単語キーワードをカウントし、類似単語併合手段５４によって類似単語キーワードをマージし、トレンド情報管理手段５５において出現頻度順に従って単語キーワードをソートし、記憶・管理している。
【０１２９】
トレンド情報管理手段５５によるソートの次のステップＳ１５３でトレンド情報管理手段５５は、番組記録手段８２の状態が録画する番組をユーザーが指定しない自動録画モードとなっているとき、カレントキーワードとして出現頻度の最も高い単語キーワードを設定し、ステップＳ１５４で番組記録手段８２はカレントキーワードを含む番組を番組記録媒体８３の現在の空き領域に記録することができるかどうかを判断し、その空き領域に記憶できるときにはステップＳ１５５に進んで録画予約を設定し、トレンド単語が存在している該当の番組を番組受信手段８１が受信する時間帯になると、番組記録手段８２はその受信した番組を自動的に番組記録媒体８３に記録する。
【０１３０】
そして、その番組の記録が終了すると、カレントキーワードとして次に出現頻度の高い単語キーワードを設定して、ステップＳ１５４に進み、以下同様の動作を繰り返す。番組記録媒体８３において空き領域がなくなったときは、このルーチンを終了する。
【０１３１】
以上のようにして、トレンド順位の高い単語が出てくる内容の番組を優先的に録画する。
【０１３２】
本実施の形態９の受信端末装置によれば、トレンド単語に係る番組情報がある場合には、そのトレンド単語が出てくる内容の番組を自動的に録画するので、トレンド番組を見落とすのを防止することができる。
【０１３３】
なお、本実施の形態では、図１５のＳ５１において番組の記録をしているか、Ｓ５１では番組の予約を行うだけでもよい。この場合Ｓ５０における記録媒体の空領域の計算にあたっては録画予約されている番組の容量は引いて計算を行う。
【０１３４】
なお、ジャンルの選別に当たって、前述同様にそのジャンルの出演者が時代、世相を反映したトレンドと考えられ得る任意のジャンルについてトレンドキーワードの計数の対象としてよい。また、このような選別を行わずに、すべてのジャンルにおいて単語出現頻度をカウントする場合も本発明は実施の形態として含むものとする。
【０１３５】
さらに、類似する単語キーワードをマージ（併合）するための類似単語併合手段５４はあった方が分類上好ましいといえるが、本発明そのものとしては必ずしも必須の要件とはしなくてよく、実機においては本発明が対象とする技術的範囲の外部において設けられていれば充分である。
【０１３６】
また、番組情報受信手段１０と番組情報記録手段１１も本発明そのものとしては必須の要件ではない。番組情報記録媒体１２に対して何らかの方法で番組情報を格納すればよく、広義には番組情報を記録している番組情報記録媒体１２を何らかの手段で実機に接続するのでもよい。
【０１３７】
〔実施の形態１０〕
図３６は本発明の実施の形態１０に係る受信端末装置の構成を示すブロック図である。図３６において、符号の１０から１２までと５１から５５と８１から８３までは実施の形態９に係る図３３と同一符号は同一構成を示すが、再度説明すると、１０は送信されてくる番組情報を受信する番組情報受信手段、１１は受信した番組情報を記録媒体に記録する番組情報記録手段、１２は番組情報を記録しておく番組情報記録媒体、５１は記録された番組情報から番組ジャンルがニュース、報道など、その番組で取り上げられるトピックが時代のトレンドを表すジャンルだけを選別する番組情報選別手段、５２は選別された番組情報の内容解説の文から、文を構成する各単語の切り出しを行う単語切り出し手段、５３は切り出された単語の出現頻度をカウントする単語出現頻度計数手段、５４は類似した単語を併合する類似単語併合手段、５５はカウントされた単語出現頻度情報を出現頻度に応じて記憶し管理するトレンド情報管理手段、８１は放送されてくる番組を受信する番組受信手段、８２は受信した番組を記録媒体に記録する番組記録手段、８３は番組を記録しておく番組記録媒体である。また、８４は記録モードに入ったときに番組記録媒体８３の空き領域が充分でないときに、番組記録媒体８３にすでに記録されている番組であってトレンド順位が下位であった単語の番組を番組記録媒体８３から消去廃棄する番組廃棄手段である。
【０１３８】
番組情報として得られるものおよび記録の形態は実施の形態６（図１９）と同じであり、番組名、番組放映日時、放送チャンネル、番組のジャンル、番組の内容解説の文が番組情報テーブル１２ｂに格納されている。
【０１３９】
以上のように構成された実施の形態１０の受信端末装置の動作を図３７、図３８に示すフローチャートに従って、以下に説明する。
【０１４０】
ユーザーによるリモコン操作によりトレンド情報表示モードが選択されると、ステップＳ１６１からの動作がスタートする。ステップＳ１６１〜Ｓ１７２は、実施の形態６（図２０）の場合のステップＳ８１〜Ｓ９２と同様である。簡単に説明すると、番組情報記録媒体１２から番組情報の読み出しを行い、ジャンルがニュース番組か報道番組であるときに単語キーワードをカウントし、類似単語併合手段５４によって類似単語キーワードをマージし、トレンド情報管理手段５５において出現頻度順に従って単語キーワードをソートし、記憶・管理している。
【０１４１】
ただし、実施の形態９の自動記録モードの場合に、番組記録媒体８３の空き領域が充分でないとの判断がなされたときに、ステップＳ１６１からの動作がスタートする。
【０１４２】
トレンド情報管理手段５５によるソートの次のステップＳ１７３でトレンド情報管理手段５５はカレントキーワードとして出現頻度の最も低い単語キーワードを設定し、ステップＳ１７４で番組廃棄手段８４はカレントキーワード（ｋｗ）を含む番組を番組記録媒体８３から消去廃棄する。次いで、ステップＳ１７５で図３５のステップＳ１５５の番組の記録を行うのに充分な空き領域が番組記録媒体８３に確保されたか否かを判断し、まだ充分でないと判断したときはカレントキーワードとして次に出現頻度の低い単語キーワードを設定して、ステップＳ１７４に進み、以下同様の動作を繰り返す。番組記録媒体８３において空き領域が充分に確保されたときには、このルーチンを終了する。
【０１４３】
以上のようにして、番組記録媒体８３において空き領域が不足している場合には、トレンド順位の低い単語が出てくる内容の番組を優先して消去廃棄する。
【０１４４】
本実施の形態１０の受信端末装置によれば、自動記録モードになったときに、番組記録媒体８３に空き領域が充分に確保されていないときは、トレンド順位の低い単語が出てくる内容の番組から順に番組記録媒体８３から消去廃棄するので、番組記録媒体８３において空き領域を充分に確保して、次に放送されるトレンド順位の高い単語が出てくる内容の番組を自動的に番組記録媒体８３に記録することができ、トレンド番組を見落とすのを確実に防止することができる。
【０１４５】
なお、ジャンルの選別に当たって、前述同様にそのジャンルの単語が時代、世相を反映したトレンドと考えられ得る任意のジャンルについてトレンドキーワードの計数の対象としてよい。また、このような選別を行わずに、すべてのジャンルにおいて単語出現頻度をカウントする場合も本発明は実施の形態として含むものとする。
【０１４６】
さらに、類似する単語キーワードをマージ（併合）するための類似単語併合手段５４はあった方が分類上好ましいといえるが、本発明そのものとしては必ずしも必須の要件とはしなくてよく、実機においては本発明が対象とする技術的範囲の外部において設けられていれば充分である。
【０１４７】
また、番組情報受信手段１０と番組情報記録手段１１も本発明そのものとしては必須の要件ではない。番組情報記録媒体１２に対して何らかの方法で番組情報を格納すればよく、広義には番組情報を記録している番組情報記録媒体１２を何らかの手段で実機に接続するのでもよい。
【０１４８】
〔実施の形態１１〕
本発明の実施の形態１１に係る受信端末装置は、上記した実施の形態１〜１０のいずれにも適用可能なものであって、出演者または単語の出現頻度計数手段において、トレンドキーワードのポイントを算出する際に、現在時刻からその番組の放映日時までの時間に基づいた重みを付けてポイントを算出するものである。
【０１４９】
以下では、本実施の形態１１を実施の形態１に適用した場合の例を取り上げて説明する。図３９は本発明の実施の形態１１に係る受信端末装置の構成を示すブロック図である。図３９において、１０は例えば放送衛星から定期的または不定期的に送信されてくる番組情報を受信する番組情報受信手段、１１は受信した番組情報を記録媒体に記録する番組情報記録手段、１２は番組情報を記録しておく番組情報記録媒体、１３は記録された番組情報から番組ジャンルがドラマ、歌番組など、その番組の出演者が時代のトレンドを表すジャンルだけを選別する番組情報選別手段、１４は選別された番組情報の出演者情報から出演者の出現頻度をカウントする出演者出現頻度計数手段、１５はカウントされた出演者出現頻度情報を出現頻度に応じて記憶し管理するトレンド情報管理手段、１６は出現頻度順に従って図４のようにトレンドとなっている出演者（氏名）であるトレンド出演者情報１８を画面２００に表示するためのトレンド情報表示手段、１７は画面に表示されているトレンド出演者情報１８の中からユーザーがリモコン操作などによる選択番号入力によって視聴したいと思う出演者（氏名）であるトレンド出演者情報１８を選択するためのトレンド情報選択手段である。そして、９１は番組情報記録媒体１２に記録されている番組情報からその番組の放映される予定となっている放映日時を読み出し、現在時刻と放映日時までの間にどれくらいの時間があるかを計算する放送開始迄予定経過時間計算手段、９２は計算された放送開始迄予定経過時間に応じてトレンド情報を計数する際の重みを計算する重み計算手段である。
【０１５０】
図４０は当該番組の放映日時前後の時間と重みの関係について示したものである。ユーザーがトレンドキーワードに基づく番組検索操作を行った時刻が番組放映時刻に近いほど重みが大きくなり、放映時刻から遠いほど重みは小さくなる。重み計算手段９２はこのような特性をもったテーブルを有している。
【０１５１】
以上のように構成された実施の形態１１の受信端末装置の動作を図４１に示すフローチャートに従って、以下に説明する。この動作は実施の形態１（図３）の場合の動作と比べて、重み付け処理を除いて基本的には同じであるが、ここでは念のため、再度詳しく説明する。
【０１５２】
ユーザーによるリモコン操作などによりトレンド情報表示モードが選択されると、ステップＳ１からの動作がスタートし、ステップＳ１で図示しないＣＰＵ（中央演算処理装置）は番組情報記録媒体１２から番組情報の読み出しを行う。この読み出しは番組情報テーブルの１つごとに行う。ステップＳ２で番組情報選別手段１３は読み出した番組情報に対してジャンルのフィルタをかける。すなわち、読み出した番組情報のうちジャンルが時代のトレンドを表すジャンルであるドラマか歌番組となっている番組情報のみを選別する。ステップＳ２でジャンルがドラマと歌番組のいずれかに属しているかどうかを判断し、属していないときは、その番組情報についてステップＳ３以下の処理は放棄してステップＳ１に戻り、次の番組情報テーブルからの番組情報の読み出しに進む（番組情報読み出しのインクリメントを行う）が、属しているときにはステップＳ３に進む。なお、番組情報についてフィルタをかける時代のトレンドを表すジャンルの種類は任意である。ここでは、ドラマと歌番組を一例として取り上げている。
【０１５３】
ステップＳ３〜Ｓ７は出演者出現頻度計数手段１４とトレンド情報管理手段１５の協働によって処理される。実施の形態１の番組と相違するのは、ステップＳ５ａが追加されている点である。ステップＳ３でジャンルがドラマまたは歌番組に属している番組情報について本実施の形態１１の場合のトレンドキーワードである出演者キーワードを取り出し（出演者氏名を示すコードデータを抽出し）、ステップＳ４でその出演者キーワードが出演者キーワードテーブルにすでに存在しているかどうかを判断する。その出演者キーワードが初回に取り出されたものであるときは、まだ出演者キーワードテーブルには存在していないから、ステップＳ５に進んで新キーワードとして出演者キーワードテーブルに追加する。この出演者キーワードテーブルは出演者出現頻度計数手段１４とトレンド情報管理手段１５とに共通のものとして設定されている。
【０１５４】
ステップＳ５において新キーワードとして出演者キーワードテーブルに追加された場合、あるいは、取り出した出演者キーワードがすでに出演者キーワードテーブルに存在している場合、いずれも、ステップＳ５ａに進む。これが今回新たに付け加えられたステップである。すなわち、ステップＳ５ａにおいて、放送開始迄予定経過時間計算手段９１は番組情報記録媒体１２に記録されている番組情報からその番組の放映される予定となっている放映日時を読み出し、現在時刻と放映日時までの間にどれくらいの時間があるか（放送開始迄予定経過時間）を計算し、重み計算手段９２は得られた放送開始迄予定経過時間に基づいて図４０に示す特性をもつテーブルを検索して重みを算出する。重み計算手段９２は求めた重みを出演者出現頻度計数手段１４に与える。
【０１５５】
次いで、ステップＳ６に進むと、出演者出現頻度計数手段１４は、出演者キーワードに出現頻度としてのポイントを与えるが、このポイントを与えるときに、前記の重みを付加してポイントを与える。すなわち、現在時刻から放映時刻までの放送開始迄予定経過時間が短いほど大きい重みを与え、放送開始迄予定経過時間が長いほど小さい重みを与える。重みをｗで表すことにして、放送開始迄予定経過時間が例えば４８時間以上であるときは、重みｗ＝１を与え、出演者キーワードに与える出現頻度としてのポイントは、１×１＝１とする。また、放送開始迄予定経過時間が２４〜４８時間であるときは、重みｗ＝１．５を与え、出演者キーワードに与える出現頻度としてのポイントは、１×１．５＝１．５とする。また、放送開始迄予定経過時間が１２〜２４時間であるときは、重みｗ＝２を与え、出演者キーワードに与える出現頻度としてのポイントは、１×２＝２とする。さらに、放送開始迄予定経過時間が６〜１２時間であるときは、重みｗ＝２．５を与え、出演者キーワードに与える出現頻度としてのポイントは、１×２．５＝２．５とする。放送開始迄予定経過時間が６時間未満であるときは、重みｗ＝３を与え、出演者キーワードに与える出現頻度としてのポイントは、１×３＝３とする。これらの重み付けされたポイントを出演者キーワードのカウント値に加算する。
【０１５６】
次いで、ステップＳ７に進んでこのルーチンにおいてＣＰＵによってまだ読み出されていない番組情報が番組情報記録媒体１２に存在しているかどうかを判断し、すべての番組情報についての読み出し・計数処理が終了していないときはステップＳ１に戻り、以下、同様の処理を繰り返し実行する。以上により、番組情報記録媒体１２に記録されているすべての番組情報の中からドラマと歌番組のジャンルにおける出演者の出現回数をカウントする。
【０１５７】
番組情報記録媒体１２に記憶されているすべての番組情報について読み出し・計数処理が終了したときは、ステップＳ８に進んでトレンド情報管理手段１５は出演者キーワードテーブルにおいて重み処理されたポイントの高い順に従って出演者キーワードをソートし、その結果を受け取ったトレンド情報表示手段１６はステップＳ９において図４に示すようにトレンド情報としてのトレンド出演者情報１８を出現頻度の高い順にディスプレイの画面２００に表示する。
【０１５８】
以上のように重み処理されたポイントの高いものほど広い意味でのトレンドといえる。つまり、実際的な現在のトレンドをより正確に反映したトレンド出演者情報を提示することができる。
【０１５９】
なお、図４０で示した重みを与える曲線の形状は、番組に応じて適当に変化させてもよい。その場合は、番組案内情報の放映時間、ジャンルなどに応じて曲線パラメータを変化させてもよいし、番組案内情報に曲線パラメータをもたせても実現できる。
【０１６０】
なお、本実施の形態１１に係る受信端末装置は実施の形態１の構成に放送開始迄予定経過時間計算手段９１と重み計算手段９２を付加した構成となっているが、本発明はこれに限定されるものではなく、他のすべての実施の形態２〜１０についても同様に放送開始迄予定経過時間計算手段９１と重み計算手段９２とを付加する構成とすることにより、この重み付け方法によるトレンドを得ることが可能となる。
【０１６１】
〔実施の形態１２〕
本発明の実施の形態１２に係る受信端末装置は、上記した実施の形態１〜１０のいずれにも適用可能なものであって、出演者または単語の出現頻度計数手段において、トレンドキーワードのポイントを算出する際に、後述する番組パラメータに基づいた重みを付けてポイントを算出するものである。
【０１６２】
以下では、本実施の形態１２を実施の形態１に適用した場合の例を取り上げて説明する。図４２は本発明の実施の形態１２に係る受信端末装置の構成を示すブロック図である。図４２において、符号の１０〜１７は実施の形態１（図１）あるいは実施の形態１１（図３９）におけるものと同一符号は同一構成を示し、簡単に説明すると、１０は番組情報受信手段、１１は番組情報記録手段、１２は番組情報記録媒体、１３は番組情報選別手段、１４は出演者出現頻度計数手段、１５はトレンド情報管理手段、１６はトレンド情報表示手段、１７はトレンド情報選択手段である。そして、９３は番組情報記録媒体１２中の番組情報から番組パラメータである放映時間帯および番組長さを読み出す番組パラメータ抽出手段、９４はその読み出された放映時間帯および番組長さに基づいてトレンド情報を計数する際の重みを計算する重み計算手段である。
【０１６３】
番組は普通、視聴者の多いいわゆるゴールデンタイムに放映する方が社会的影響が大きいし、放送局側も力を入れている番組は視聴者の多い時間帯に放映する。したがって、トレンドキーワードの計数の際に放映時間帯によって重みを付ける。図４３にその一例を示す。また、１つの番組でも番組長さ（放映時間）が長いものの方がトレンドキーワードの出演者やトピックが現れる場面が多いので、番組長さ（放映時間）が長いものほど高い重みを付ける。
【０１６４】
次に、以上のように構成された実施の形態１２の受信端末装置の動作を図４４に示すフローチャートに従って説明すると、ステップＳ１からステップＳ９までは実施の形態１（図３）の場合と同様であり、ステップＳ４およびステップＳ５とステップＳ６との間にステップＳ５ｂが挿入されている点が異なる。すなわち、ステップＳ５ｂにおいて、番組パラメータ抽出手段９３は番組情報記録媒体１２に記録されている番組パラメータとしての放映時間帯および番組長さを読み出し、重み計算手段９４はそれら放映時間帯および番組長さに基づいてトレンド情報を計数する際の重みを算出する。重み計算手段９４は求めた重みを出演者出現頻度計数手段１４に与える。あとの処理は、実施の形態１１の場合と同様に進める。
【０１６５】
以上のように放映時間帯や番組長さによる重み処理をされたポイントの高いものほど広い意味でのトレンドといえる。つまり、実際的な現在のトレンドをより正確に反映したトレンド出演者情報を提示することができる。
【０１６６】
なお、トレンドキーワードのポイントを算出するに際して、上記の例では重み付けの基礎をその番組の放映時間帯および番組長さを番組パラメータとしたが、これ以外に、１週間のうち何日間同じ番組が放映されているかなどの番組パラメータに基づいて重みを付けてポイントを算出するようにしてもよい。
【０１６７】
さらに、毎日同じ時間帯で放映される連続もののドラマを考えると、その出演者のカウント数は著しく増加し、世の中のトレンド現状に則さなくなることが考えられるので、連続ドラマなどの場合のトレンドキーワードの計数については重みを小さくするのが好ましい。
【０１６８】
なお、本実施の形態１２に係る受信端末装置は実施の形態１の構成に番組パラメータ抽出手段９３と重み計算手段９４を付加した構成となっているが、本発明はこれに限定されるものではなく、他のすべての実施の形態２〜１０についても同様に番組パラメータ抽出手段９３と重み計算手段９４とを付加する構成とすることにより、この重み付け方法によるトレンドを得ることが可能となる。
【０１６９】
〔実施の形態１３〕
本発明の実施の形態１３に係る受信端末装置は、上記した実施の形態１〜１０のいずれにも適用可能なものであって、出演者または単語の出現頻度計数手段において、トレンドキーワードのポイントを算出する際に、その番組の初回放送日から現在までの経過時間に基づいた重みを付けてポイントを算出するものである。
【０１７０】
以下では、本実施の形態１３を実施の形態１に適用した番組の例を取り上げて説明する。図４５は本発明の実施の形態１３に係る受信端末装置の構成を示すブロック図である。図４５において、符号の１０〜１７は実施の形態１（図１）あるいは実施の形態１１（図３９）におけるものと同一符号は同一構成を示し、簡単に説明すると、１０は番組情報受信手段、１１は番組情報記録手段、１２は番組情報記録媒体、１３は番組情報選別手段、１４は出演者出現頻度計数手段、１５はトレンド情報管理手段、１６はトレンド情報表示手段、１７はトレンド情報選択手段である。そして、９５は番組情報記録媒体１２中の番組情報からその番組の初回放送日の放映時刻を読み出して、その放映時刻から現在時刻までの経過時間を算出する再放送経過時間計算手段、９６はその算出された経過時間に基づいてトレンド情報を計数する際の重みを計算する重み計算手段である。
【０１７１】
本実施の形態１３では再放送の番組であるかどうかを考慮に入れるため、図４６に示すように番組情報記録媒体１２における番組情報テーブル１２ｃには、番組名、放映日時、チャンネル、出演者、ジャンルのほかに、初回放送日の情報が含まれている。
【０１７２】
番組が再放送されるのは、依然その番組に対する人気があるからである。しかし、出演者やトピックが当時のトレンドを示すものではあっても、本放送からの時間が経過するほど、現在のトレンドを示すものにはなりにくくなる。このため、図４７に示すように、時間を横軸にとり、本放送時からの時間経過がたつほど小さくなる重みの特性を重み計算手段９６のテーブルにもたせてある。
【０１７３】
次に、以上のように構成された実施の形態１３の受信端末装置の動作を図４８に示すフローチャートに従って説明すると、ステップＳ１からステップＳ９までは実施の形態１（図３）の場合と同様であり、ステップＳ４およびステップＳ５とステップＳ６との間にステップＳ５ｃが挿入されている点が異なる。すなわち、ステップＳ５ｃにおいて、再放送経過時間計算手段９５は番組情報記録媒体１２の番組情報テーブル１２ｃの番組情報からその番組の初回放送日と放映日時の情報を読み出して、その放映時刻から現在時刻までの経過時間を算出し、重み計算手段９６はその算出された経過時間に基づいてトレンド情報を計数する際の重みを算出する。重み計算手段９６は求めた重みを出演者出現頻度計数手段１４に与える。あとの処理は、実施の形態１１の場合と同様に進める。
【０１７４】
以上のように、再放送の番組の場合の本放送からの経過時間による重み処理をされたポイントの高いものほど広い意味でのトレンドといえる。つまり、実際的な現在のトレンドをより正確に反映したトレンド出演者情報を提示することができる。
【０１７５】
なお、図４７で示した重みを与える曲線の形状を番組に応じて変化させてもよい。その場合は、番組案内情報の放映時間、ジャンルなどに応じて曲線パラメータを変化させてもよいし、番組案内情報に曲線パラメータをもたせても実現できる。
【０１７６】
なお、番組情報としては初回放送日の代わりに何回目の再放送かの情報があってもよい。比較的短いタイムスパンの間に何度も同じ番組の再放送をすると、次第にそのありがたみを感じなくなる。これより、回を重ねるごとに計数の際の重みは減少させるように構成することも考えられる。
【０１７７】
なお、本実施の形態１３に係る受信端末装置は実施の形態１の構成に再放送経過時間計算手段９５と重み計算手段９６を付加した構成となっているが、本発明はこれに限定されるものではなく、他のすべての実施の形態２〜１０についても同様に再放送経過時間計算手段９５と重み計算手段９６とを付加する構成とすることにより、この重み付け方法によるトレンドを得ることが可能となる。
【０１７８】
〔実施の形態１４〕
本発明の実施の形態１４に係る受信端末装置は、上記した実施の形態１〜１０のいずれにも適用可能なものであって、出演者または単語の出現頻度計数手段において、トレンドキーワードのポイントを算出する際に、視聴率に基づいた重みを付けてポイントを算出するものである。
【０１７９】
以下では、本実施の形態１４を実施の形態１に適用した場合の例を取り上げて説明する。図４９は本発明の実施の形態１４に係る受信端末装置の構成を示すブロック図である。図４９において、符号の１０〜１７は実施の形態１（図１）あるいは実施の形態１１（図３９）におけるものと同一符号は同一構成を示し、簡単に説明すると、１０は番組情報受信手段、１１は番組情報記録手段、１２は番組情報記録媒体、１３は番組情報選別手段、１４は出演者出現頻度計数手段、１５はトレンド情報管理手段、１６はトレンド情報表示手段、１７はトレンド情報選択手段である。そして、９７は番組情報記録媒体１２中の番組情報から視聴率情報を読み出す視聴率読み出し手段、９８はその読み出された視聴率に基づいてトレンド情報を計数する際の重みを計算する重み計算手段である。
【０１８０】
ある番組が毎週あるいは毎日放送されている番組には視聴率の情報が得られる。そこで、図４５に示すように番組情報記録媒体１２の番組情報テーブル１２ｄにおいて、番組名、放映日時、チャンネル、出演者、ジャンルのほかに前回視聴率の情報が含まれている。
【０１８１】
視聴率が高いほど、その番組はトレンドが高い。そこで、図５１に示すように視聴率が高いほど重みが大きくなる特性を重み計算手段９８のテーブルにもたせてある。
【０１８２】
次に、以上のように構成された実施の形態１４の受信端末装置の動作を図５２に示すフローチャートに従って説明すると、ステップＳ１からステップＳ９までは実施の形態１（図３）の場合と同様であり、ステップＳ４およびステップＳ５とステップＳ６との間にステップＳ５ｄが挿入されている点が異なる。すなわち、ステップＳ５ｄにおいて、視聴率読み出し手段９７は番組情報記録媒体１２の番組情報テーブル１２ｄの番組情報からその前回視聴率を読み出し、重み計算手段９８はその前回視聴率に基づいてトレンド情報を計数する際の重みを算出する。重み計算手段９８は求めた重みを出演者出現頻度計数手段１４に与える。あとの処理は、実施の形態１１の場合と同様に進める。
【０１８３】
以上のように、視聴率による重み処理をされたポイントの高いものほどトレンドが高いといえる。つまり、実際的な現在のトレンドをより正確に反映したトレンド出演者情報を提示することができる。
【０１８４】
なお、本実施の形態１４に係る受信端末装置は実施の形態１の構成に視聴率読み出し手段９７と重み計算手段９８を付加した構成となっているが、本発明はこれに限定されるものではなく、他のすべての実施の形態２〜１０についても同様に視聴率読み出し手段９７と重み計算手段９８とを付加する構成とすることにより、この重み付け方法によるトレンドを得ることが可能となる。
【０１８５】
〔実施の形態１５〕
図５３は本発明の実施の形態１５に係る受信端末装置の構成を示すブロック図である。図５３において、１０は送信されてくる番組情報を受信する番組情報受信手段、１１は受信した番組情報を記録媒体に記録する番組情報記録手段、１２は番組情報を記録しておく番組情報記録媒体、１３は記録された番組情報から番組ジャンルがドラマ、歌番組など、その番組で取り上げられるトピックが時代のトレンドを表すジャンルだけを選別する番組情報選別手段、１４は選別された番組情報の出演者情報から出演者の出現頻度をカウントする出演者出現頻度計数手段、１５はカウントされた出演者出現頻度情報を出現頻度に応じて記憶し管理するトレンド情報管理手段、４１は放送されてくる番組を受信する番組受信手段、４２は受信した番組を記録媒体に記録する番組記録手段、４３は番組を記録しておく番組記録媒体、４４は記録モードに入ったときに番組記録媒体４３の空き領域が充分でないときに、番組記録媒体４３にすでに記録されている番組であってトレンド順位が下位であった出演者の番組を番組記録媒体４３から消去廃棄する番組廃棄手段である。また、９９は番組記録媒体４３に記録されている番組を既に視聴したか未だ視聴していないかの情報を記録しておく視聴記録手段としての番組未既視聴記録手段である。
【０１８６】
本実施の形態１５は、すでに説明した番組廃棄手段４４，８４をもつ実施の形態５（図１６）、実施の形態１０（図３６）の変形の実施の形態であり、番組記録媒体４３，８３に記録されている番組を消去廃棄する必要が生じたときに、トレンド情報だけではなく、記録された番組が誰かに見られているかどうかによって廃棄の優先順位を決定しようとするものである。
【０１８７】
番組情報記録媒体１２の番組情報テーブルに格納されている番組情報は、実施の形態１（図２）と同じく、番組名、放映日時、チャンネル、番組の主要な出演者（氏名）、番組のジャンルである。記録された番組が既に視聴されたか否かの情報は上記のとおり番組未既視聴記録手段９９に格納されている。
【０１８８】
以上のように構成された実施の形態１５の受信端末装置の動作を図５４に示すフローチャートに従って、以下に説明する。
【０１８９】
ステップＳ１８１〜Ｓ１８８は、実施の形態５（図１７）の場合のステップＳ６１〜Ｓ６８と同様である。簡単に説明すると、番組情報記録媒体１２から番組情報の読み出しを行い、ジャンルがドラマか歌番組であるときに出演者キーワードをカウントし、トレンド情報管理手段１５において出現頻度順に従って出演者キーワードをソートし、記憶・管理している。
【０１９０】
ただし、実施の形態４の自動記録モードの場合に、番組記録媒体４３の空き領域が充分でないとの判断がなされたときに、ステップＳ１８１からの動作がスタートする。
【０１９１】
トレンド情報管理手段１５によるソートの次のステップＳ１８９でトレンド情報管理手段１５はカレントキーワードとして出現頻度の最も低い出演者キーワードを設定する。ステップＳ１９０で番組廃棄手段４４は番組未既視聴記録手段９９をアクセスして番組記録媒体４３中にカレントキーワードに係る番組が視聴済みであるかどうかを判断し、まだ視聴されていないときはカレントキーワードとして次に出現頻度の低い出演者キーワードを設定してステップＳ１９０に戻る。そのカレントキーワードに係る番組が視聴済みのときはステップＳ１９１に進み、番組廃棄手段４４は番組記録媒体４３からそのカレントキーワードに係る番組を消去廃棄する。次いで、ステップＳ１９２で図１５のステップＳ５１の番組の記録を行うのに充分な空き領域が番組記録媒体４３に確保されたか否かを判断し、まだ充分でないと判断したときはカレントキーワードとして次に出現頻度の低い出演者キーワードを設定して、ステップＳ１９０に進み、以下同様の動作を繰り返す。番組記録媒体４３において空き領域が充分に確保されたときには、このルーチンを終了する。
【０１９２】
以上のようにして、番組記録媒体４３において空き領域が不足している場合には、トレンド順位の低い出演者が出演している番組であってかつ既に視聴済みである番組を優先して消去廃棄する。
【０１９３】
本実施の形態１５の受信端末装置によれば、自動記録モードになったときに、番組記録媒体４３に空き領域が充分に確保されていないときは、トレンド順位の低い出演者が出演している番組であってかつ既に視聴済みである番組から順に番組記録媒体４３から消去廃棄するので、番組記録媒体４３において空き領域を充分に確保して、次に放送されるトレンド順位の高い出演者が出演している番組を自動的に番組記録媒体４３に記録することができ、トレンド番組を見落とすのを確実に防止することができる。また、折角記録しておいた番組が誰にも視聴されることなく消去廃棄されることを防止することができる。
【０１９４】
なお、ジャンルの選別に当たって、前述同様にそのジャンルの出演者が時代、世相を反映したトレンドと考えられ得る任意のジャンルについてトレンドキーワードの計数の対象としてよい。また、このような選別を行わずに、すべてのジャンルにおいて出演者出現頻度をカウントする場合も本発明は実施の形態として含むものとする。
【０１９５】
また、番組情報受信手段１０と番組情報記録手段１１も本発明そのものとしては必須の要件ではない。番組情報記録媒体１２に対して何らかの方法で番組情報を格納すればよく、広義には番組情報を記録している番組情報記録媒体１２を何らかの手段で実機に接続するのでもよい。
【０１９６】
【発明の効果】
以上のように本発明によると、読み出した番組情報において、出演者毎に出現頻度を計数したり、または、読み出した番組情報に含まれた解説文から単語を切り出し、その出現頻度を計数したりするので、非常に多数の番組の中から現在世の中で人気の高いトレンドに係る要素が関係している番組を容易に見つけ出すことができる。また、計数した出現頻度が所定程度低い出演者や単語に係る番組について、番組記録媒体から消去廃棄するので、番組記録媒体において空き領域を十分に確保して、新たな番組を番組記録媒体に確実に記録することができるため、トレンド番組を見落とす心配がなくなる。
【図面の簡単な説明】
【図１】  本発明の実施の形態１に係る受信端末装置の構成を示すブロック図である。
【図２】  実施の形態１における番組情報記録媒体の番組情報テーブルでの番組情報格納状態図である。
【図３】  実施の形態１の受信端末装置の動作を説明するフローチャートである。
【図４】  実施の形態１におけるトレンド出演者情報の表示状態図である。
【図５】  実施の形態１における番組選択のための初期メニューの表示状態図である。
【図６】  本発明の実施の形態２に係る受信端末装置の構成を示すブロック図である。
【図７】  実施の形態２の受信端末装置の動作を説明するフローチャートである。
【図８】  実施の形態２においてトレンド順位情報を含む状態で番組情報を表示している表示状態図である。
【図９】  実施の形態２においてトレンド情報含有表示マークを含む状態で番組情報を表示している表示状態図である。
【図１０】  本発明の実施の形態３に係る受信端末装置の構成を示すブロック図である。
【図１１】  実施の形態３の受信端末装置の動作を説明するフローチャートである。
【図１２】  実施の形態３においてトレンド順位情報を含む状態で番組表を表示している表示状態図である。
【図１３】  実施の形態３においてトレンド情報含有表示マークを含む状態で番組表を表示している表示状態図である。
【図１４】  本発明の実施の形態４に係る受信端末装置の構成を示すブロック図である。
【図１５】  実施の形態４の受信端末装置の動作を説明するフローチャートである。
【図１６】  本発明の実施の形態５に係る受信端末装置の構成を示すブロック図である。
【図１７】  実施の形態５の受信端末装置の動作を説明するフローチャートである。
【図１８】  本発明の実施の形態６に係る受信端末装置の構成を示すブロック図である。
【図１９】  実施の形態６における番組情報記録媒体の番組情報テーブルでの番組情報格納状態図である。
【図２０】  実施の形態６の受信端末装置の動作を説明するフローチャートである。
【図２１】  実施の形態６におけるトレンド単語情報の表示状態図である。
【図２２】  実施の形態６における番組選択のための初期メニューの表示状態図である。
【図２３】  本発明の実施の形態７に係る受信端末装置の構成を示すブロック図である。
【図２４】  実施の形態７の受信端末装置の動作を説明するフローチャートである。
【図２５】  実施の形態７の受信端末装置の動作を説明するフローチャートである。
【図２６】  実施の形態７においてトレンド順位情報を含む状態で番組情報を表示している表示状態図である。
【図２７】  実施の形態７においてトレンド情報含有表示マークを含む状態で番組情報を表示している表示状態図である。
【図２８】  本発明の実施の形態８に係る受信端末装置の構成を示すブロック図である。
【図２９】  実施の形態８の受信端末装置の動作を説明するフローチャートである。
【図３０】  実施の形態８の受信端末装置の動作を説明するフローチャートである。
【図３１】  実施の形態８においてトレンド順位情報を含む状態で番組表を表示している表示状態図である。
【図３２】  実施の形態８においてトレンド情報含有表示マークを含む状態で番組表を表示している表示状態図である。
【図３３】  本発明の実施の形態９に係る受信端末装置の構成を示すブロック図である。
【図３４】  実施の形態９の受信端末装置の動作を説明するフローチャートである。
【図３５】  実施の形態９の受信端末装置の動作を説明するフローチャートである。
【図３６】  本発明の実施の形態１０に係る受信端末装置の構成を示すブロック図である。
【図３７】  実施の形態１０の受信端末装置の動作を説明するフローチャートである。
【図３８】  実施の形態１０の受信端末装置の動作を説明するフローチャートである。
【図３９】  本発明の実施の形態１１に係る受信端末装置の構成を示すブロック図である。
【図４０】  実施の形態１１における番組の放映日時前後の時間とトレンドキーワード計数の際の重みの関係を示す特性図である。
【図４１】  実施の形態１１の受信端末装置の動作を説明するフローチャートである。
【図４２】  本発明の実施の形態１２に係る受信端末装置の構成を示すブロック図である。
【図４３】  実施の形態１２における番組の放映時間帯とトレンドキーワード計数の際の重みの関係を示す特性図である。
【図４４】  実施の形態１２の受信端末装置の動作を説明するフローチャートである。
【図４５】  本発明の実施の形態１３に係る受信端末装置の構成を示すブロック図である。
【図４６】  実施の形態１３における番組情報記録媒体の番組情報テーブルでの番組情報格納状態図である。
【図４７】  実施の形態１３における番組の本放送時からの経過時間とトレンドキーワード計数の際の重みの関係を示す特性図である。
【図４８】  実施の形態１３の受信端末装置の動作を説明するフローチャートである。
【図４９】  本発明の実施の形態１４に係る受信端末装置の構成を示すブロック図である。
【図５０】  実施の形態１４における番組情報記録媒体の番組情報テーブルでの番組情報格納状態図である。
【図５１】  実施の形態１４における番組の前回視聴率とトレンドキーワード計数の際の重みの関係を示す特性図である。
【図５２】  実施の形態１４の受信端末装置の動作を説明するフローチャートである。
【図５３】  本発明の実施の形態１５に係る受信端末装置の構成を示すブロック図である。
【図５４】  実施の形態１５の受信端末装置の動作を説明するフローチャートである。
【図５５】  実施の形態１５の受信端末装置の動作を説明するフローチャートである。
【符号の説明】
１０……番組情報受信手段
１１……番組情報記録手段
１２……番組情報記録媒体
１２ａ，１２ｂ，１２ｃ，１２ｄ……番組情報テーブル
１３，５１……番組情報選別手段
１４……出演者出現頻度計数手段
１５，５５……トレンド情報管理手段
１６，５６……トレンド情報表示手段
１７，５７……トレンド情報選択手段
１８……トレンド出演者情報
２１，６１……番組情報表示手段
２２，３２，６２，７２……トレンド情報含有表示手段
２３，６３……番組情報
２４，３４，６４，７４……トレンド順位情報
２５，３５，６５，７５……トレンド情報含有表示マーク
３１，７１……番組表表示手段
３３，７３……番組表
４１，８１……番組受信手段
４２，８２……番組記録手段
４３，８３……番組記録媒体
４４，８４……番組廃棄手段
５２……単語切り出し手段
５３……単語出現頻度計数手段
５４……類似単語併合手段
５８……トレンド単語情報
９１……放送開始迄予定経過時間計算手段
９２，９４，９６，９８……重み計算手段
９３……番組パラメータ抽出手段
９５……再放送経過時間計算手段
９７……視聴率読み出し手段
９９……番組未既視聴記録手段
２００……画面
【図１】
0003871377.tif 000002
【図２】
0003871377.tif 000003
【図３】
0003871377.tif 000004
【図４】
0003871377.tif 000005
【図５】
0003871377.tif 000006
【図６】
0003871377.tif 000007
【図７】
0003871377.tif 000008
【図８】
0003871377.tif 000009
【図９】
0003871377.tif 000010
【図１０】
0003871377.tif 000011
【図１１】
0003871377.tif 000012
【図１２】
0003871377.tif 000013
【図１３】
0003871377.tif 000014
【図１４】
0003871377.tif 000015
【図１５】
0003871377.tif 000016
【図１６】
0003871377.tif 000017
【図１７】
0003871377.tif 000018
【図１８】
0003871377.tif 000019
【図１９】
0003871377.tif 000020
【図２０】
0003871377.tif 000021
【図２１】
0003871377.tif 000022
【図２２】
0003871377.tif 000023
【図２３】
0003871377.tif 000024
【図２４】
0003871377.tif 000025
【図２５】
0003871377.tif 000026
【図２６】
0003871377.tif 000027
【図２７】
0003871377.tif 000028
【図２８】
0003871377.tif 000029
【図２９】
0003871377.tif 000030
【図３０】
0003871377.tif 000031
【図３１】
0003871377.tif 000032
【図３２】
0003871377.tif 000033
【図３３】
0003871377.tif 000034
【図３４】
0003871377.tif 000035
【図３５】
0003871377.tif 000036
【図３６】
0003871377.tif 000037
【図３７】
0003871377.tif 000038
【図３８】
0003871377.tif 000039
【図３９】
0003871377.tif 000040
【図４０】
0003871377.tif 000041
【図４１】
0003871377.tif 000042
【図４２】
0003871377.tif 000043
【図４３】
0003871377.tif 000044
【図４４】
0003871377.tif 000045
【図４５】
0003871377.tif 000046
【図４６】
0003871377.tif 000047
【図４７】
0003871377.tif 000048
【図４８】
0003871377.tif 000049
【図４９】
0003871377.tif 000050
【図５０】
0003871377.tif 000051
【図５１】
0003871377.tif 000052
【図５２】
0003871377.tif 000053
【図５３】
0003871377.tif 000054
【図５４】
0003871377.tif 000055
【図５５】
0003871377.tif 000056